(57)【要約】  移動体通信システムは、特定の移動端末にアクセスを許可するクローズドアクセスモードに対応したクローズドアクセスモード設定、ならびに前記クローズドアクセスモードおよびアクセスを許可する移動端末を特定しないオープンアクセスモードのいずれにも対応したハイブリッドアクセスモード設定で動作する特定加入者用基地局と、アクセスする移動端末を特定しない基地局とを含み、アクセスする移動端末を特定しない基地局の通信エリア外に前記特定加入者用基地局が設置された場合、前記特定加入者用基地局を前記ハイブリッドアクセスモード設定で動作させる。これにより、アクセスする移動端末を特定しない基地局の通信エリア外に特定加入者用基地局が設置された場合に、この特定加入者用基地局の通信エリア内において特定の移動端末以外の移動端末でも、コストを抑制しつつ通信サービスを享受することができる。
2011052190.tif 000002
【特許請求の範囲】
【請求項１】
特定の移動端末にアクセスを許可するクローズドアクセスモードに対応したクローズドアクセスモード設定、ならびに前記クローズドアクセスモードおよびアクセスを許可する移動端末を特定しないオープンアクセスモードのいずれにも対応したハイブリッドアクセスモード設定で動作する特定加入者用基地局と、アクセスする移動端末を特定しない基地局とを含む移動体通信システムであって、
アクセスする移動端末を特定しない基地局の通信エリア外に前記特定加入者用基地局が設置された場合、前記特定加入者用基地局を前記ハイブリッドアクセスモード設定で動作させることを特徴とする移動体通信システム。
【請求項２】
前記特定加入者用基地局が使用するキャリア周波数を設けた場合、前記特定加入者用基地局を前記ハイブリッドアクセスモード設定で動作させることを特徴とする請求項１記載の移動体通信システム。
【請求項３】
移動端末の位置を追跡する対象となる追跡エリアを管理する追跡エリア管理装置を含む移動体通信システムであって、
移動端末から送信されてきた追跡エリア更新要求信号に対して前記追跡エリア管理装置が追跡エリア更新拒絶信号を送信した場合、前記特定加入者用基地局を前記ハイブリッドアクセスモード設定で動作させることを特徴とする請求項１記載の移動体通信システム。
【請求項４】
基地局の位置情報を管理する基地局位置情報管理装置を含む移動体通信システムであって、
アクセスする移動端末を特定しない基地局の通信エリア外に前記特定加入者用基地局が設置されたと、前記基地局位置情報管理装置が判断した場合、前記特定加入者用基地局を前記ハイブリッドアクセスモード設定で動作させることを特徴とする請求項１記載の移動体通信システム。
【請求項５】
前記ハイブリッドアクセスモード設定で動作する前記特定加入者用基地局が使用するキャリア周波数を、前記クローズドアクセスモード設定で動作する前記特定加入者用基地局が使用するキャリア周波数と異なる周波数とすることを特徴とする請求項２記載の移動体通信システム。
【請求項６】
前記ハイブリッドアクセスモード設定で動作する前記特定加入者用基地局は、前記クローズドアクセスモード設定で動作する前記特定加入者用基地局が使用するキャリア周波数と同一の第１キャリア周波数をクローズドアクセスモードにおいて使用し、前記第１キャリア周波数と異なる第２キャリア周波数をオープンアクセスモードにおいて使用することを特徴とする請求項１記載の移動体通信システム。
【請求項７】
前記特定加入者用基地局が使用するキャリア周波数を移動端末に認識させることを特徴とする請求項１記載の移動体通信システム。
【発明の詳細な説明】
【技術分野】
【０００１】
本発明は、複数の移動端末と基地局との間で無線通信を実施する移動体通信システムに関するものである。
【背景技術】
【０００２】
第３世代と呼ばれる通信方式のうち、Ｗ−ＣＤＭＡ（Wideband Code division Multiple Access）方式が２００１年から日本で商用サービスが開始されている。また、下りリンク（個別データチャネル、個別制御チャネル）にパケット伝送用のチャネル（HS-DSCH: High Speed-Downlink Shared Channel）を追加することにより、下りリンクを用いたデータ送信の更なる高速化を実現するＨＳＤＰＡ（High Speed Down Link Packet Access）のサービスが開始されている。さらに、上り方向のデータ送信をさらに高速化するためＨＳＵＰＡ（High Speed Up Link Packet Access）方式についてもサービスが開始されている。Ｗ−ＣＤＭＡは、移動体通信システムの規格化団体である３ＧＰＰ（3rd Generation Partnership Project）により定められた通信方式であり、リリース８版の規格書がとりまとめられている。【０００３】
また、３ＧＰＰにおいて、Ｗ−ＣＤＭＡとは別の通信方式として、無線区間については「ロングタームエボリューション」（Long Term Evolution  LTE）、コアネットワーク（単にネットワークとも称する）を含めたシステム全体構成については「システムアーキテクチャエボリューション」（System Architecture Evolution  SAE）と称される新たな通信方式が検討されている。ＬＴＥでは、アクセス方式、無線のチャネル構成やプロトコルが、現在のＷ−ＣＤＭＡ（HSDPA/HSUPA）とは全く異なるものになる。たとえば、アクセス方式は、Ｗ−ＣＤＭＡが符号分割多元接続（Code Division Multiple Access）を用いているのに対して、ＬＴＥは下り方向はＯＦＤＭ（Orthogonal Frequency Division Multiplexing ）、上り方向はＳＣ−ＦＤＭＡ（Single Career Frequency Division Multiple Access）を用いる。また、帯域幅は、Ｗ−ＣＤＭＡが５ＭＨｚであるのに対し、ＬＴＥでは１．４／３／５／１０／１５／２０ＭＨｚの中で基地局ごとに選択可能となっている。また、ＬＴＥでは、Ｗ−ＣＤＭＡのように回線交換を含まず、パケット通信方式のみになる。【０００４】
ＬＴＥはＷ−ＣＤＭＡのコアネットワーク(GPRS)とは異なる新たなコアネットワークを用いて通信システムが構成されるため、Ｗ−ＣＤＭＡ網とは別の独立した無線アクセス網として定義される。したがって、Ｗ−ＣＤＭＡの通信システムと区別するため、ＬＴＥの通信システムでは、移動端末（UE: User Equipment）と通信を行う基地局（Base station）はｅＮＢ（E-UTRAN NodeB）、複数の基地局と制御データやユーザデータのやり取りを行う基地局制御装置(Radio Network Controller)はＥＰＣ（Evolved Packet Core）（aGW:Access Gatewayと称されることもある)と称される。このＬＴＥの通信システムでは、ユニキャスト（Unicast）サービスとＥ-ＭＢＭＳサービス（Evolved Multimedia Broadcast Multicast Service）が提供される。Ｅ−ＭＢＭＳサービスとは、放送型マルチメディアサービスであり、単にＭＢＭＳと称される場合もある。複数の移動端末に対してニュースや天気予報や、モバイル放送など大容量放送コンテンツが送信される。これを１対多（Point to Multipoint）サービスともいう。【０００５】
３ＧＰＰでの、ＬＴＥシステムにおける全体的なアーキテクチャ（Architecture）に関する現在の決定事項が、非特許文献１に記載されている。全体的なアーキテクチャ（非特許文献１  ４．６．１章）について図１を用いて説明する。図１は、ＬＴＥ方式の通信システムの構成を示す説明図である。図１において、移動端末１０１に対する制御プロトコル（例えばＲＲＣ（Radio Resource Management））とユーザプレイン（例えばPDCP: Packet Data Convergence Protocol、RLC: Radio Link Control、MAC: Medium Access Control、PHY: Physical layer）が基地局１０２で終端するなら、Ｅ−ＵＴＲＡＮ（Evolved Universal Terrestrial Radio Access）は１つあるいは複数の基地局１０２によって構成される。基地局１０２は、ＭＭＥ１０３（Mobility Management Entity）から通知されるページング信号（Paging Signaling、ページングメッセージ（paging messages）とも称される）のスケジューリング（Scheduling）及び送信を行う。基地局１０２はＸ２インタフェースにより、お互いに接続される。また基地局１０２は、Ｓ１インタフェースによりＥＰＣ（Evolved Packet Core）に接続される、より明確にはＳ１＿ＭＭＥインタフェースによりＭＭＥ１０３（Mobility Management Entity）に接続され、Ｓ１＿ＵインタフェースによりＳ−ＧＷ１０４（Serving Gateway）に接続される。ＭＭＥ１０３は、複数あるいは単数の基地局１０２へのページング信号の分配を行う。また、ＭＭＥ１０３は待受け状態（Idle State）のモビリティ制御（Mobility control）を行う。ＭＭＥ１０３は移動端末が待ち受け状態及び、アクティブ状態（Active State）の際に、トラッキングエリア（Tracking Area）リストの管理を行う。Ｓ−ＧＷ１０４はひとつまたは複数の基地局１０２とユーザデータの送受信を行う。Ｓ−ＧＷ１０４は基地局間のハンドオーバの際、ローカルな移動性のアンカーポイント（Mobility Anchor Point）となる。更にＰ−ＧＷ（PDN Gateway）が存在し、ユーザ毎のパケットフィルタリングやＵＥ−ＩＤアドレスの割当などを行う。【０００６】
移動端末１０１と基地局１０２間の制御プロトコルＲＲＣは、報知（Broadcast）、ページング（paging）、ＲＲＣ接続マネージメント（RRC connection management）などを行う。ＲＲＣにおける基地局と移動端末の状態として、ＲＲＣ＿Ｉｄｌｅ、ＲＲＣ＿ＣＯＮＮＥＣＴＥＤがある。ＲＲＣ＿ＩＤＬＥでは、ＰＬＭＮ（Public Land Mobile Network）選択、システム情報（System information、SI）の報知、ページング（paging）、セル再選択（cell re-selection）、モビリティ等が行われる。ＲＲＣ＿ＣＯＮＮＥＣＴＥＤでは、移動端末はＲＲＣ接続（connection）を有し、ネットワークとのデータの送受信を行うことができ、また、ハンドオーバ（Handover、ＨＯ）、隣接セル（Neighbour cell）のメジャメント等が行われる。【０００７】
３ＧＰＰでの、ＬＴＥシステムにおけるフレーム構成に関する現在の決定事項が、非特許文献１（５章）に記載されている。図２を用いて説明する。図２はＬＴＥ方式の通信システムで使用される無線フレームの構成を示す説明図である。図２において、１つの無線フレーム（Radio frame）は１０ｍｓである。無線フレームは１０個の等しい大きさのサブフレーム（Sub-frame）に分割される。サブフレームは、２個の等しい大きさのスロット（slot）に分割される。無線フレーム毎に１番目と６番目のサブフレームに下り同期信号（Downlink Synchronization Signal: SS）が含まれる。同期信号には第一同期信号（Primary Synchronization Signal: P-SS）と第二同期信号（Secondary Synchronization Signal: S-SS）がある。サブフレーム単位にてＭＢＳＦＮ（Multimedia Broadcast multicast service Single Frequency Network）用とＭＢＳＦＮ以外のチャネルの多重が行われる。以降、ＭＢＳＦＮ送信用のサブフレームをＭＢＳＦＮサブフレーム（MBSFN sub-frame）と称する。非特許文献２に、ＭＢＳＦＮサブフレームの割り当て時のシグナリング例が記載されている。図３は、ＭＢＳＦＮフレームの構成を示す説明図である。図３において、ＭＢＳＦＮフレーム（MBSFN frame）毎にＭＢＳＦＮサブフレームが割り当てられる。ＭＢＳＦＮフレームの集合（MBSFN frame Cluster）がスケジュールされる。ＭＢＳＦＮフレームの集合の繰り返し周期（Repetition Period）が割り当てられる。【０００８】
３ＧＰＰでの、ＬＴＥシステムにおけるチャネル構成に関する現在の決定事項が、非特許文献１に記載されている。ＣＳＧ（Closed Subscriber Group cell）セルにおいてもｎｏｎ−ＣＳＧセルと同じチャネル構成が用いられると想定されている。物理チャネル（Physical channel）について（非特許文献１  ５章）図４を用いて説明する。図４は、ＬＴＥ方式の通信システムで使用される物理チャネルを説明する説明図である。図４において、物理報知チャネル４０１（Physical Broadcast channel: PBCH）は基地局１０２から移動端末１０１へ送信される下りチャネルである。ＢＣＨトランスポートブロック（transport block）は４０ｍｓ間隔中の４個のサブフレームにマッピングされる。４０ｍｓタイミングの明白なシグナリングはない。物理制御チャネルフォーマットインジケータチャネル４０２（Physical Control format indicator channel: PCFICH）は基地局１０２から移動端末１０１へ送信される。ＰＣＦＩＣＨは、ＰＤＣＣＨｓのために用いるＯＦＤＭシンボルの数について基地局１０２から移動端末１０１へ通知する。ＰＣＦＩＣＨはサブフレーム毎に送信される。物理下り制御チャネル４０３（Physical downlink control channel: PDCCH）は基地局１０２から移動端末１０１へ送信される下りチャネルである。ＰＤＣＣＨは、リソース割り当て（allocation）、ＤＬ−ＳＣＨ（図５に示されるトランスポートチャネルの１つである下り共有チャネル）に関するＨＡＲＱ情報、ＰＣＨ（図５に示されるトランスポートチャネルの１つであるページングチャネル）を通知する。ＰＤＣＣＨは、上りスケジューリンググラント（Uplink Scheduling Grant）を運ぶ。ＰＤＣＣＨは、上り送信に対する応答信号であるＡＣＫ／Ｎａｃｋを運ぶ。ＰＤＣＣＨはＬ１／Ｌ２制御信号とも呼ばれる。物理下り共有チャネル４０４（Physical downlink shared channel: PDSCH）は、基地局１０２から移動端末１０１へ送信される下りチャネルである。ＰＤＳＣＨはトランスポートチャネルであるＤＬ-ＳＣＨ（下り共有チャネル）やトランスポートチャネルであるＰＣＨがマッピングされている。物理マルチキャストチャネル４０５（Physical multicast channel: PMCH）は基地局１０２から移動端末１０１へ送信される下りチャネルである。ＰＭＣＨはトランスポートチャネルであるＭＣＨ（マルチキャストチャネル）がマッピングされている。【０００９】
物理上り制御チャネル４０６（Physical Uplink control channel: PUCCH）は移動端末１０１から基地局１０２へ送信される上りチャネルである。ＰＵＣＣＨは下り送信に対する応答信号（response）であるＡＣＫ／Ｎａｃｋを運ぶ。ＰＵＣＣＨはＣＱＩ（Channel Quality indicator）レポートを運ぶ。ＣＱＩとは受信したデータの品質、もしくは通信路品質を示す品質情報である。またＰＵＣＣＨは、スケジューリングリクエスト（Scheduling Request: SR）を運ぶ。物理上り共有チャネル４０７（Physical Uplink shared channel: PUSCH）は移動端末１０１から基地局１０２へ送信される上りチャネルである。ＰＵＳＣＨはＵＬ−ＳＣＨ（図５に示されるトランスポートチャネルの１つである上り共有チャネル）がマッピングされている。物理ＨＡＲＱインジケータチャネル４０８（Physical Hybrid ARQ indicator channel: PHICH）は基地局１０２から移動端末１０１へ送信される下りチャネルである。ＰＨＩＣＨは上り送信に対する応答であるＡＣＫ／Ｎａｃｋを運ぶ。物理ランダムアクセスチャネル４０９（Physical random access  channel: PRACH）は移動端末１０１から基地局１０２へ送信される上りチャネルである。ＰＲＡＣＨはランダムアクセスプリアンブル（random access preamble）を運ぶ。【００１０】
下りリファレンスシグナル（Reference signal）は、移動体通信システムとして既知のシンボルが、毎スロットの最初、３番目、最後のＯＦＤＭシンボルに挿入される。移動端末の物理レイヤの測定として、リファレンスシンボルの受信電力（Reference symbol received power：ＲＳＲＰ）がある。【００１１】
トランスポートチャネル（Transport channel）について（非特許文献１  ５章）図５を用いて説明する。図５は、ＬＴＥ方式の通信システムで使用されるトランスポートチャネルを説明する説明図である。図５Ａには下りトランスポートチャネルと下り物理チャネル間のマッピングを示す。図５Ｂには上りトランスポートチャネルと上り物理チャネル間のマッピングを示す。下りトランスポートチャネルについて報知チャネル（Broadcast channel: BCH）はその基地局（セル）全体に報知される。ＢＣＨは物理報知チャネル（PBCH）にマッピングされる。下り共有チャネル（Downlink Shared channel: DL-SCH）には、ＨＡＲＱ（Hybrid ARQ）による再送制御が適用される。基地局（セル）全体への報知が可能である。ダイナミックあるいは準静的（Semi-static）なリソース割り当てをサポートする。準静的なリソース割り当ては，パーシステントスケジューリング（Persistent Scheduling）とも言われる。移動端末の低消費電力化のために移動端末のＤＲＸ（Discontinuous reception）をサポートする。ＤＬ−ＳＣＨは物理下り共有チャネル（PDSCH）へマッピングされる。ページングチャネル（Paging channel: PCH）は移動端末の低消費電力を可能とするために移動端末のＤＲＸをサポートする。基地局（セル）全体への報知が要求される。動的にトラフィックに利用できる物理下り共有チャネル（PDSCH）のような物理リソース、あるいは他の制御チャネルの物理下り制御チャネル（PDCCH）のような物理リソースへマッピングされる。マルチキャストチャネル（Multicast channel: MCH）は基地局（セル）全体への報知に使用される。マルチセル送信におけるＭＢＭＳサービス（MTCHとMCCH）のＳＦＮ合成をサポートする。準静的なリソース割り当てをサポートする。ＭＣＨはＰＭＣＨへマッピングされる。【００１２】
上り共有チャネル（Uplink Shared channel: UL-SCH）にはＨＡＲＱ（Hybrid ARQ）による再送制御が適用される。ダイナミックあるいは準静的（Semi-static）なリソース割り当てをサポートする。ＵＬ−ＳＣＨは物理上り共有チャネル（PUSCH）へマッピングされる。図５Ｂに示されるランダムアクセスチャネル（Random access channel: RACH）は制御情報に限られている。衝突のリスクがある。ＲＡＣＨは物理ランダムアクセスチャネル（PRACH）へマッピングされる。【００１３】
ＨＡＲＱについて説明する。ＨＡＲＱとは自動再送（Automatic Repeat reQuest）と誤り訂正（Forward Error Correction）との組み合わせにより伝送路の通信品質を向上させる技術である。通信品質が変化する伝送路に対しても再送により誤り訂正が有効に機能するという利点がある。特に再送にあたって初送の受信結果と再送の受信結果の合成をすることで更なる品質向上を得ることも可能である。再送の方法の一例を説明する。受信側にて受信データが正しくデコード出来なかった場合（CRC Cyclic Redundancy Check エラーが発生した場合（CRC=NG））、受信側から送信側へ「Ｎａｃｋ」を送信する。「Ｎａｃｋ」を受信した送信側はデータを再送する。受信側にて受信データが正しくデコードできた場合（CRCエラーが発生しない場合（CRC=OK））、受信側から送信側へ「Ａｃｋ」を送信する。「Ａｃｋ」を受信した送信側は次のデータを送信する。ＨＡＲＱ方式の一例として「チェースコンバイニング」（Chase Combining）がある。チェースコンバイニングとは初送と再送に同じデータ系列を送信するもので、再送において初送のデータ系列と再送のデータ系列の合成を行うことで利得を向上させる方式である。これは初送データに誤りがあったとしても部分的に正確なものも含まれており、正確な部分の初送データと再送データとを合成することでより高精度にデータを送信できるという考え方に基づいている。また、ＨＡＲＱ方式の別の例としてＩＲ（Incremental Redundancy）がある。ＩＲとは冗長度を増加させるものであり、再送においてパリティビットを送信することで初送と組み合わせて冗長度を増加させ、誤り訂正機能により品質を向上させるものである。【００１４】
論理チャネル（Logical channel）について（非特許文献１  ６章）図６を用いて説明する。図６は、ＬＴＥ方式の通信システムで使用される論理チャネルを説明する説明図である。図６Ａには下りロジカルチャネルと下りトランスポートチャネル間のマッピングを示す。図６Ｂには上りロジカルチャネルと上りトランスポートチャネル間のマッピングを示す。報知制御チャネル（Broadcast control channel: BCCH）は報知システム制御情報のための下りチャネルである。論理チャネルであるＢＣＣＨはトランスポートチャネルである報知チャネル(BCH)、あるいは下り共有チャネル（DL-SCH）へマッピングされる。ページング制御チャネル（Paging control channel: PCCH）はページング信号を送信するための下りチャネルである。ＰＣＣＨは移動端末のセルロケーションをネットワークが知らない場合に用いられる。論理チャネルであるＰＣＣＨはトランスポートチャネルであるページングチャネル(PCH)へマッピングされる。共有制御チャネル（Common control channel: CCCH）は移動端末と基地局間の送信制御情報のためのチャネルである。ＣＣＣＨは移動端末がネットワークとの間でＲＲＣ接続（connection）を持っていない場合に用いられる。下り方法では、ＣＣＣＨはトランスポートチャネルである下り共有チャネル（ＤＬ−ＳＣＨ）へマッピングされる。上り方向では、ＣＣＣＨはトランスポートチャネルである上り共有チャネル(UL-SCH)へマッピングされる。【００１５】
マルチキャスト制御チャネル（Multicast control channel: MCCH）は１対多の送信のための下りチャネルである。ネットワークから移動端末への１つあるいはいくつかのＭＴＣＨ用のＭＢＭＳ制御情報の送信のために用いられるチャネルである。ＭＣＣＨはＭＢＭＳ受信中の移動端末のみに用いられるチャネルである。ＭＣＣＨはトランスポートチャネルである下り共有チャネル(DL-SCH)あるいはマルチキャストチャネル（MCH）へマッピングされる。個別制御チャネル（Dedicated control channel: DCCH）は移動端末とネットワーク間の個別制御情報を送信するチャネルである。ＤＣＣＨは上りでは上り共有チャネル（UL-SCH）へマッピングされ、下りでは下り共有チャネル(DL-SCH)にマッピングされる。個別トラフィックチャネル（Dedicate Traffic channel: DTCH）はユーザ情報の送信のための個別移動端末への１対１通信のチャネルである。ＤＴＣＨは上り・下りともに存在する。ＤＴＣＨは上りでは上り共有チャネル(UL-SCH)へマッピングされ、下りでは下り共有チャネル（DL-SCH）へマッピングされる。マルチキャストトラフィックチャネル（Multicast Traffic channel: MTCH）はネットワークから移動端末へのトラフィックデータ送信のための下りチャネルである。ＭＴＣＨはＭＢＭＳ受信中の移動端末のみに用いられるチャネルである。ＭＴＣＨは下り共有チャネル(DL-SCH)あるいはマルチキャストチャネル(MCH)へマッピングされる。【００１６】
ＧＣＩとは、グローバルセル識別子（Global Cell Identity）のことである。ＬＴＥ及びＵＭＴＳ（Universal Mobile Telecommunication System）においてＣＳＧセル（Closed Subscriber Group cell）が導入される。ＣＳＧについて以下説明する（非特許文献３  ３．１章）。ＣＳＧ（Closed Subscriber Group）とは、利用可能な加入者をオペレータが特定しているセルである（特定加入者用セル）。特定された加入者は、ＰＬＭＮ（Public Land Mobile Network）のひとつ以上のＥ-ＵＴＲＡＮセルにアクセスすることが許可される。特定された加入者がアクセスを許可されている１つ以上のＥ−ＵＴＲＡＮセルを“ＣＳＧ  ｃｅｌｌ（ｓ）”とよぶ。ただし、ＰＬＭＮにはアクセス制限がある。ＣＳＧセルとは、固有のＣＳＧアイデンティティ（CSG identity: CSG ID，CSG-ID）を報知するＰＬＭＮの一部である。あらかじめ利用登録し、許可された加入者グループのメンバーは、アクセス許可情報であるところのＣＳＧ−ＩＤを用いてＣＳＧセルにアクセスする。
ＣＳＧ−ＩＤはＣＳＧセルかセルによって報知される。移動体通信システムにＣＳＧ−ＩＤは複数存在する。そして、ＣＳＧ−ＩＤは、ＣＳＧ関連のメンバーのアクセスを容易にするために移動端末（UE）によって使用される。移動端末の位置追跡は、１つ以上のセルからなる区域を単位に行われる。位置追跡は、待受け状態であっても移動端末の位置を追跡し、呼び出す（移動端末が着呼する）ことを可能にするためである。この移動端末の位置追跡のための区域をトラッキングエリアとよぶ。ＣＳＧホワイトリスト（CSG White List）とは、加入者が属するＣＳＧセルのすべてのＣＳＧ ＩＤが記録されている、ＵＳＩＭに格納されたリストである。ＣＳＧホワイトリストは、許可ＣＳＧリスト（Allowed CSG ID List）と呼ばれることもある。【００１７】
「適切なセル」（Suitable cell）について以下説明する（非特許文献３  4.3章）。「適切なセル」（Suitable cell）とは、ＵＥが通常（normal）サービスを受けるためにキャンプオン（Camp ON）するセルである。そのようなセルは、（１）セルは選択されたＰＬＭＮか登録されたＰＬＭＮ、または「Ｅｑｕｉｖａｌｅｎｔ  ＰＬＭＮリスト」のＰＬＭＮの一部であること、（２）ＮＡＳ（non-access stratum）によって提供された最新情報にてさらに以下の条件を満たすこと、（a）そのセルが禁じられた（barred）セルでないこと。（b）そのセルが“ローミングのための禁止されたＬＡｓ”リストの一部ではなく、少なくとも１つのトラッキングエリア（Tracking Area:TA）の一部であること。その場合、そのセルは上記（１）を満たす必要がある、（c）そのセルが、セル選択評価基準を満たしていること、（d）そのセルが、ＣＳＧセルとしてシステム情報（System Information: SI）によって特定されたセルに関しては、ＣＳＧ−ＩＤはＵＥの「ＣＳＧホワイトリスト」（CSG WhiteList）の一部であること（UEのCSG WhiteList中に含まれること）。【００１８】
「アクセプタブルセル」（Acceptable cell）について以下説明する（非特許文献３  ４．３章）これは、ＵＥが限られたサービス（緊急通報）を受けるためにキャンプオンするセルである。そのようなセルは以下のすべての要件を充足するものとする。つまり、Ｅ−ＵＴＲＡＮネットワークで緊急通報を開始するための最小のセットの要件を以下に示す。（１）そのセルが禁じられた（barred）セルでないこと。（２）そのセルが、セル選択評価基準を満たしていること。【００１９】
セルにキャンプオン（camp on）するとは、ＵＥがセル選択／再選択（cell selection/reselection）処理を完了し、ＵＥがシステム情報とページング情報をモニタするセルを選択した状態である。【００２０】
３ＧＰＰにおいて、Ｈｏｍｅ−ＮｏｄｅＢ（Home-NB、HNB）、Ｈｏｍｅ−ｅＮｏｄｅＢ（Home-eNB、HeNB）と称される基地局が検討されている。ＵＴＲＡＮにおけるＨＮＢ、またはＥ-ＵＴＲＡＮにおけるＨｅＮＢは、例えば家庭、法人、商業用のアクセスサービス向けの基地局である。非特許文献４にＨｅＮＢ及びＨＮＢへのアクセスの３つの異なるモードが開示されている。オープンアクセスモード（Open access mode）とクローズドアクセスモード（Closed access mode）とハイブリッドアクセスモード（Hybrid access mode）である。各々のモードは以下のような特徴を有する。オープンアクセスモードでは、ＨｅＮＢやＨＮＢは通常のオペレータのノーマルセルとして操作される。クローズドアクセスモードでは、ＨｅＮＢやＨＮＢがＣＳＧセルとして操作される。これはＣＳＧメンバーのみアクセス可能なＣＳＧセルである。ハイブリッドアクセスモードでは、非ＣＳＧメンバーも同時にアクセス許可されているＣＳＧセルである。ハイブリッドアクセスモードのセル（ハイブリッドセルとも称する）は、言い換えれば、オープンアクセスモードとクローズドアクセスモードの両方をサポートするセルである。
【先行技術文献】
【非特許文献】
【００２１】
【非特許文献１】３ＧＰＰ  ＴＳ３６．３００  Ｖ９．１．０  ４．６．１章、４．６．２章、５章、６章、１０．７章
【非特許文献２】３ＧＰＰ  Ｒ１−０７２９６３
【非特許文献３】３ＧＰＰ  ＴＳ３６．３０４  Ｖ９．０．０  ３．１章、４．３章、５．２．４章
【非特許文献４】３ＧＰＰ  Ｓ１−０８３４６１
【非特許文献５】３ＧＰＰ  Ｒ２−０８２８９９
【非特許文献６】３ＧＰＰ  ＴＳ２２．２２０  Ｖ９．１．１
【非特許文献７】３ＧＰＰ  ＴＲ２５．８２０  Ｖ８．２．０
【非特許文献８】３ＧＰＰ  Ｒ２−０９４８０８
【発明の概要】
【発明が解決しようとする課題】
【００２２】
アクセスする移動端末を特定しない基地局であるマクロセルの圏外（通信エリア外）に、クローズドアクセスモードにて動作する特定加入者用基地局であるＨｅＮＢ／ＨＮＢセルを設置した場合、そのＨｅＮＢ／ＨＮＢセルの圏内（通信エリア内）において、そのＨｅＮＢ／ＨＮＢセルが属するＣＳＧに未登録の移動端末がサービスを受けられないという状況が発生し得る。
従来の方法を用いた解決策では、該場所に新たにマクロセルを設置する。その結果、該場所がマクロセル圏内となり、ＣＳＧに未登録の移動端末も、該場所において移動体通信システムのサービスを受けることが可能となる。しかし、マクロセルの設置には莫大な費用が必要になるという新たな課題が発生する。
本発明の目的では、アクセスする移動端末を特定しない基地局の通信エリア外に特定加入者用基地局が設置された場合に、この特定加入者用基地局の通信エリア内において特定の移動端末以外の移動端末でも、コストを抑制しつつ通信サービスを享受できる移動体通信システムを提供することである。
【課題を解決するための手段】
【００２３】
本発明は、特定の移動端末にアクセスを許可するクローズドアクセスモードに対応したクローズドアクセスモード設定、ならびに前記クローズドアクセスモードおよびアクセスを許可する移動端末を特定しないオープンアクセスモードのいずれにも対応したハイブリッドアクセスモード設定で動作する特定加入者用基地局と、アクセスする移動端末を特定しない基地局とを含む移動体通信システムであって、アクセスする移動端末を特定しない基地局の通信エリア外に前記特定加入者用基地局が設置された場合、前記特定加入者用基地局を前記ハイブリッドアクセスモード設定で動作させることを特徴とする移動体通信システムである。
【発明の効果】
【００２４】
本発明によれば、アクセスする移動端末を特定しない基地局の通信エリア外に特定加入者用基地局が設置された場合に、この特定加入者用基地局の通信エリア内において特定の移動端末以外の移動端末でも、コストを抑制しつつ移動体通信システムのサービスを享受することができる。
【図面の簡単な説明】
【００２５】
【図１】ＬＴＥ方式の通信システムの構成を示す説明図である。
【図２】ＬＴＥ方式の通信システムで使用される無線フレームの構成を示す説明図である。
【図３】ＭＢＳＦＮ（Multimedia Broadcast multicast service Single Frequency Network）フレームの構成を示す説明図である。
【図４】ＬＴＥ方式の通信システムで使用される物理チャネルを説明する説明図である。
【図５】ＬＴＥ方式の通信システムで使用されるトランスポートチャネルを説明する説明図である。
【図６】ＬＴＥ方式の通信システムで使用される論理チャネルを説明する説明図である。
【図７】現在３ＧＰＰで議論されている移動体通信システムの全体的な構成を示すブロック図である。
【図８】本発明に係る移動端末３１１の構成を示すブロック図である。
【図９】本発明に係る基地局３１２の構成を示すブロック図である。
【図１０】本発明に係るＭＭＥの構成を示すブロック図である。
【図１１】本発明に係るＨｅＮＢＧＷの構成を示すブロック図である。
【図１２】ＬＴＥ方式の通信システムにおいて移動端末（ＵＥ）が行うセルサーチの概略を示すフローチャートである。
【図１３】マクロセルのカバレッジ内にＣＳＧセルを設置した状況およびその状況における移動端末での受信信号干渉波比（ＳＩＲ）の概念図である。
【図１４】複数（ここでは二つ）のマクロセルのカバレッジ内にＣＳＧセルを設置した状況およびその状況における移動端末での受信信号干渉波比（ＳＩＲ）の概念図である。
【図１５】非特許文献７における方法Ｂの概念図である。
【図１６】実施の形態１の解決策の概念図である。
【図１７】実施の形態１にてハイブリッドアクセスモードとするセルの選択方法（１）、ハイブリッドアクセスモードの設定方法（１）、ＨｅＮＢ／ＨＮＢのキャリア周波数を設定する方法（１）を用いた場合の移動体通信システムのシーケンス図である。
【図１８】実施の形態１にてハイブリッドアクセスモードとするセルの選択方法（２）、ハイブリッドアクセスモードの設定方法（２）、ＨｅＮＢ／ＨＮＢのキャリア周波数を設定する方法（３）を用いた場合の移動体通信システムのシーケンス図である。
【図１９】実施の形態１での移動端末のセルサーチのための周辺セルのメジャメント動作を示すフロー図である。
【図２０】実施の形態１の変形例１でのキャリア周波数の情報をキャリア周波数のインデックスとした場合の具体例である。
【図２１】実施の形態１の変形例１でのキャリア周波数をＣＳＧセル用のキャリア周波数として用いるかマクロセル用のキャリア周波数として用いるかの種別を認識させる場合の情報の具体例である。
【図２２】実施の形態１の変形例１での移動端末のセルサーチのための周辺セルのメジャメント動作を示すフロー図である。
【図２３】実施の形態１の変形例２の課題を説明する概念図である。
【図２４】実施の形態１の変形例２での移動端末のセルサーチのための周辺セルのメジャメント動作を示すフロー図である。
【図２５】実施の形態２の解決策の概念図である。
【図２６】実施の形態２の変形例１での移動端末のセルサーチのための周辺セルのメジャメント動作を示すフロー図である。
【図２７】実施の形態２の変形例２の課題を説明する概念図である。
【図２８】実施の形態２の変形例２での移動端末のセルサーチのための周辺セルのメジャメント動作を示すフロー図である。
【図２９】実施の形態３の解決策の概念図である。
【図３０】実施の形態４の解決策の概念図である。
【図３１】実施の形態４の変形例１での移動端末のセルサーチのための周辺セルのメジャメント動作を示すフロー図である。
【図３２】実施の形態４の変形例２の課題を説明する概念図である。
【図３３】実施の形態４の変形例２での移動端末のセルサーチのための周辺セルのメジャメント動作を示すフロー図である。
【図３４】実施の形態５の解決策の概念図である。
【図３５】実施の形態５の変形例１での移動端末のセルサーチのための周辺セルのメジャメント動作を示すフロー図である。
【発明を実施するための形態】
【００２６】
実施の形態１．
図７は、現在３ＧＰＰにおいて議論されているＬＴＥ方式の移動体通信システムの全体的な構成を示すブロック図である。現在３ＧＰＰにおいては、ＣＳＧ（Closed Subscriber Group）セル（e-UTRANのHome-eNodeB（Home-eNB,HeNB）,UTRANのHome-NB（HNB））とｎｏｎ-ＣＳＧセル（e-UTRANのeNodeB（eNB）、UTRANのNodeB(NB)、GERANのBSS）とを含めたシステムの全体的な構成が検討されており、ｅ−ＵＴＲＡＮについては、図７のような構成が提案されている（非特許文献１  ４．６．１.章）。
【００２７】
図７について説明する。移動端末（ＵＥ）７１は基地局７２と送受信を行う。基地局７２はｅＮＢ７２−１と、Ｈｏｍｅ−ｅＮＢ７２−２とに分類される。ｅＮＢ７２−１はＭＭＥ７３とインタフェースＳ１により接続され、ｅＮＢとＭＭＥとの間で制御情報が通信される。ひとつのｅＮＢ７２−１に対して複数のＭＭＥ７３が接続されてもよい。ｅＮＢ間はインタフェースＸ２により接続され、ｅＮＢ間で制御情報が通信される。
【００２８】
Ｈｏｍｅ−ｅＮＢ７２−２はＭＭＥ７３とインタフェースＳ１により接続され、Ｈｏｍｅ−ｅＮＢとＭＭＥとの間で制御情報が通信される。ひとつのＭＭＥに対して複数のＨｏｍｅ−ｅＮＢが接続される。あるいは、Ｈｏｍｅ−ｅＮＢ７２−２はＨｅＮＢＧＷ（Home-eNB GateWay）７４を介してＭＭＥ７３と接続される。Ｈｏｍｅ−ｅＮＢとＨｅＧＷはインタフェースＳ１により接続され、ＨｅＮＢＧＷ７４とＭＭＥ７３はインタフェースＳ１を介して接続される。ひとつまたは複数のＨｏｍｅ−ｅＮＢ７２−２がひとつのＨｅＮＢＧＷ７４と接続され、Ｓ１を通して情報が通信される。ＨｅＮＢＧＷ７４はひとつまたは複数のＭＭＥ７３と接続され、Ｓ１を通して情報が通信される。
【００２９】
さらに現在３ＧＰＰでは以下のような構成が検討されている。Ｈｏｍｅ−ｅＮＢ７２−２間のインタフェースＸ２はサポートされない。ＭＭＥ７３からは、ＨｅＮＢＧＷ７４はｅＮＢ７２−１として見える。Ｈｏｍｅ−ｅＮＢ７２−２からは、ＨｅＮＢＧＷ７４ははＭＭＥ７３として見える。Ｈｏｍｅ−ｅＮＢ７２−２がＨｅＮＢＧＷ７４を介してＥＰＣに接続されるか否かに関係なく、Ｈｏｍｅ−ｅＮＢ７２−２とＥＰＣ間のインタフェースＳ１は同じである。ＭＭＥ７３をまたがるような、Ｈｏｍｅ−ｅＮＢ７２−２へのモビリティ、あるいはＨｏｍｅ−ｅＮＢ７２−２からのモビリティはサポートされない。Ｈｏｍｅ−ｅＮＢ７２−２は唯一のセルをサポートする。
【００３０】
図８は、本発明に係る移動端末（図７の端末７１）の構成を示すブロック図である。図８に示す移動端末の送信処理を説明する。まず、プロトコル処理部８０１からの制御データ、アプリケーション部８０２からのユーザデータが送信データバッファ部８０３へ保存される。送信データバッファ部８０３に保存されたデータはエンコーダー部８０４へ渡され、誤り訂正などのエンコード処理が施される。エンコード処理を施さずに送信データバッファ部８０３から変調部８０５へ直接出力されるデータが存在しても良い。エンコーダー部８０４でエンコード処理されたデータは変調部８０５にて変調処理が行われる。変調されたデータはベースバンド信号に変換された後、周波数変換部８０６へ出力され、無線送信周波数に変換される。その後、アンテナ８０７から基地局３１２に送信信号が送信される。また、移動端末３１１の受信処理は以下のとおり実行される。基地局３１２からの無線信号がアンテナ８０７により受信される。受信信号は、周波数変換部８０６にて無線受信周波数からベースバンド信号に変換され、復調部８０８において復調処理が行われる。復調後のデータはデコーダー部８０９へ渡され、誤り訂正などのデコード処理が行われる。デコードされたデータのうち、制御データはプロトコル処理部８０１へ渡され、ユーザデータはアプリケーション部８０２へ渡される。移動端末の一連の処理は制御部８１０によって制御される。よって制御部８１０は、図面では省略しているが、各部（801〜809）と接続している。
【００３１】
図９は、本発明に係る基地局（図７の基地局７２）の構成を示すブロック図である。図９に示す基地局の送信処理を説明する。ＥＰＣ通信部９０１は、基地局７２とＥＰＣ（MME73,HeNBGW74など）間のデータの送受信を行う。他基地局通信部９０２は、他の基地局との間のデータの送受信を行う。Ｈｏｍｅ−ｅＮＢ７２−２間のインタフェースＸ２はサポートされない方向であるため、Ｈｏｍｅ−ｅＮＢ７２−２では、他基地局通信部９０２が存在しないことも考えられる。ＥＰＣ通信部９０１、他基地局通信部９０２はそれぞれプロトコル処理部９０３と情報の受け渡しを行う。プロトコル処理部９０３からの制御データ、またＥＰＣ通信部９０１と他基地局通信部９０２からのユーザデータ及び制御データが送信データバッファ部９０４へ保存される。送信データバッファ部９０４に保存されたデータはエンコーダー部９０５へ渡され、誤り訂正などのエンコード処理が施される。エンコード処理を施さずに送信データバッファ部９０４から変調部９０６へ直接出力されるデータが存在しても良い。エンコードされたデータは変調部９０６にて変調処理が行われる。変調されたデータはベースバンド信号に変換された後、周波数変換部９０７へ出力され、無線送信周波数に変換される。その後、アンテナ９０８より一つもしくは複数の移動端末７１に対して送信信号が送信される。また、基地局７２の受信処理は以下のとおり実行される。ひとつもしくは複数の移動端末３１１からの無線信号がアンテナ９０８により受信される。受信信号は周波数変換部９０７にて無線受信周波数からベースバンド信号に変換され、復調部９０９で復調処理が行われる。復調されたデータはデコーダー部９１０へ渡され、誤り訂正などのデコード処理が行われる。デコードされたデータのうち、制御データはプロトコル処理部９０３あるいはＥＰＣ通信部９０１、他基地局通信部９０２へ渡され、ユーザデータはＥＰＣ通信部９０１、他基地局通信部９０２へ渡される。基地局７２の一連の処理は制御部９１１によって制御される。よって制御部９１１は図面では省略しているが各部（901〜910）と接続している。
【００３２】
現在３ＧＰＰにおいて議論されているＨｏｍｅ−ｅＮＢ７２−２の機能を以下に示す（非特許文献１  ４．６．２章）。Ｈｏｍｅ−ｅＮＢ７２−２はｅＮＢ７２−１と同じ機能を持つ。加えてＨｅＮＢＧＷ７４と接続する場合、以下示す機能を有する。適当なサービングＨｅＮＢＧＷ７４を発見する機能を有する。Ｈｏｍｅ−ｅＮＢ７２−２は１つのＨｅＮＢＧＷ７４に唯一接続する、つまり、ＨｅＮＢＧＷ７４との接続の場合は、Ｈｏｍｅ−ｅＮＢ７２−２でＳ１におけるＦｌｅｘ機能を使用しない。Ｈｏｍｅ−ｅＮＢ７２−２がＨｅＮＢＧＷ７４に接続されると、同時に別のＨｅＮＢＧＷ７４や別のＭＭＥ７３に接続しない。Ｈｏｍｅ−ｅＮＢ７２−２のＴＡＣとＰＬＭＮ  ＩＤは、ＨｅＮＢＧＷ７４によってサポートされる。Ｈｏｍｅ−ｅＮＢ７２−２をＨｅＮＢＧＷ７４に接続すると、「ＵＥ  ａｔｔａｃｈｍｅｎｔ」でのＭＭＥ７３の選択は、Ｈｏｍｅ−ｅＮＢ７２−２の代わりにＨｅＮＢＧＷ７４によって行われる。Ｈｏｍｅ−ｅＮＢ７２−２はネットワーク計画なしで配備されるかもしれない。よってＨｏｍｅ−ｅＮＢ７２−２は１つの地理的な領域から別の地理的な領域へ移されるかもしれない。したがって位置による異なったＨｅＮＢＧＷ７４に接続する必要があるかもしれない。
【００３３】
図１０は、本発明に係るＭＭＥ(Mobility Management Entity)の構成を示すブロック図である。ＰＤＮ  ＧＷ通信部１００１はＭＭＥ７３とＰＤＮ  ＧＷ間のデータの送受信を行う。基地局通信部１００２はＭＭＥ７３と基地局７２間をＳ１インタフェースによるデータの送受信を行う。ＰＤＮ  ＧＷから受信したデータがユーザデータであった場合、ユーザデータはＰＤＮ  ＧＷ通信部１００１からユーザプレイン処理部１００３経由で基地局通信部１００２に渡され、１つあるいは複数の基地局７２へ送信される。基地局７２から受信したデータがユーザデータであった場合、ユーザデータは基地局通信部１００２からユーザプレイン処理部１００３経由でＰＤＮ  ＧＷ通信部１００１に渡され、ＰＤＮ  ＧＷへ送信される。
【００３４】
ＰＤＮ  ＧＷから受信したデータが制御データであった場合、制御データはＰＤＮ  ＧＷ通信部１００１から制御プレイン制御部１００５へ渡される。基地局７２から受信したデータが制御データであった場合、制御データは基地局通信部１００２から制御プレイン制御部１００５へ渡される。ＨｅＮＢＧＷ通信部１００４は、ＨｅＮＢＧＷ７４が存在する場合に設けられ、情報種別によって、ＭＭＥ７３とＨｅＮＢＧＷ７４間のインタフェース（ＩＦ）によるデータの送受信を行う。ＨｅＮＢＧＷ通信部１００４から受信した制御データはＨｅＮＢＧＷ通信部１００４から制御プレイン制御部１００５へ渡される。制御プレイン制御部１００５での処理の結果は、ＰＤＮ  ＧＷ通信部１００１経由でＰＤＮ  ＧＷへ送信される。また、制御プレイン制御部１００５で処理された結果は、基地局通信部１００２経由でＳ１インタフェースにより１つあるいは複数の基地局７２へ送信され、またＨｅＮＢＧＷ通信部１００４経由で１つあるいは複数のＨｅＮＢＧＷ７４へ送信される。
【００３５】
制御プレイン制御部１００５には、ＮＡＳセキュリティ部１００５−１、ＳＡＥベアラコントロール部１００５−２、アイドルステート（Idle State）モビリティ管理部１００５―３などが含まれ、制御プレインに対する処理全般を行う。ＮＡＳセキュリティ部１００５―１はＮＡＳ（Non-Access Stratum）メッセージのセキュリティなどを行う。ＳＡＥベアラコントロール部１００５―２はＳＡＥ（System Architecture Evolution）のベアラの管理などを行う。アイドルステートモビリティ管理部１００５―３は、待受け（LTE‐IDLE状態、単にアイドルとも称される）状態のモビリティ管理、待受け状態時のページング信号の生成及び制御、傘下の１つあるいは複数の移動端末７１のトラッキングエリア（TA）の追加、削除、更新、検索、トラッキングエリアリスト（TA List）管理などを行う。ＭＭＥはＵＥが登録されている（registered）追跡領域（トラッキングエリア：tracking Area: TA）に属するセルへページングメッセージを送信することで、ページングプロトコルに着手する。ＭＭＥに接続されるＨｏｍｅ−ｅＮＢ７２−２のＣＳＧの管理やＣＳＧ−ＩＤの管理、そしてホワイトリスト管理を、アイドルステートモビリティ管理部１００５―３で行っても良い。ＣＳＧ−ＩＤの管理では、ＣＳＧ−ＩＤに対応する移動端末とＣＳＧセルの関係が管理（追加、削除、更新、検索）される。例えば、あるＣＳＧ−ＩＤにユーザアクセス登録された一つまたは複数の移動端末と該ＣＳＧ−ＩＤに属するＣＳＧセルの関係であっても良い。ホワイトリスト管理では、移動端末とＣＳＧ−ＩＤの関係が管理（追加、削除、更新、検索）される。例えば、ホワイトリストには、ある移動端末がユーザ登録した一つまたは複数のＣＳＧ−ＩＤが記憶されても良い。これらのＣＳＧに関する管理はＭＭＥ７３の中の他の部分で行われても良い。ＭＭＥ３１３の一連の処理は制御部１００６によって制御される。よって制御部１００６は図面では省略しているが各部（1001〜1005）と接続している。
【００３６】
現在３ＧＰＰにおいて議論されているＭＭＥ７３の機能を以下に示す（非特許文献１  ４．６．２章）。ＭＭＥ７３はＣＳＧ（Closed Subscriber Groups）のメンバーの１つ、あるいは複数の移動端末のアクセスコントロールを行う。ページングの最適化（Paging optimisation）の実行をオプションとして認める。
【００３７】
図１１は、本発明に係るＨｅＮＢＧＷの構成を示すブロック図である。ＥＰＣ通信部１１０１はＨｅＮＢＧＷ７４とＭＭＥ７３間をＳ１インタフェースによるデータの送受信を行う。基地局通信部１１０２はＨｅＮＢＧＷ７４とＨｏｍｅ−ｅＮＢ７２−２間をＳ１インタフェースによるデータの送受信を行う。ロケーション処理部１１０３は、ＥＰＣ通信部１１０１経由で渡されたＭＭＥ７３からのデータのうちレジストレーション情報など、複数のＨｏｍｅ−ｅＮＢに送信する処理を行う。ロケーション処理部１１０３で処理されたデータは、基地局通信部１１０２に渡され、ひとつまたは複数のＨｏｍｅ−ｅＮＢ７２−２にＳ１インタフェースを介して送信される。ロケーション処理部１１０３での処理を必要とせず通過（透過）させるだけのデータは、ＥＰＣ通信部１１０１から基地局通信部１１０２に渡され、ひとつまたは複数のＨｏｍｅ−ｅＮＢ７２−２にＳ１インタフェースを介して送信される。ＨｅＮＢＧＷ７４の一連の処理は制御部１１０４によって制御される。よって制御部１１０４は図面では省略しているが各部（1101〜1103）と接続している。
【００３８】
現在３ＧＰＰにおいて議論されているＨｅＮＢＧＷ７４の機能を以下に示す（非特許文献１  ４・６・２章）。Ｓ１アプリケーションについてリレーする。Ｈｏｍｅ−ｅＮＢ７２−２へのＭＭＥ７３の手順の一部分であるが、移動端末７１に関係しないＳ１アプリケーションについて終端する。ＨｅＮＢＧＷ７４が配置されるとき、移動端末７１に無関係な手順がＨｏｍｅ−ｅＮＢ７２−２とＨｅＮＢＧＷ７４間、そしてＨｅＮＢＧＷ７４とＭＭＥ７３間を通信される。ＨｅＮＢＧＷ７４と他のノード間でインタフェースＸ２は設定されない。ページングの最適化（Paging optimisation）の実行をオプションとして認める。
【００３９】
次に移動体通信システムにおける一般的なセルサーチ方法の一例を示す。図１２は、ＬＴＥ方式の通信システムにおいて移動端末（UE）が行うセルサーチから待ち受け動作までの概略を示すフローチャートである。移動端末にてセルサーチが開始されると、ステップＳＴ１２０１で周辺の基地局から送信される第一同期信号（P−SS）、第二同期信号（S−SS）を用いてスロットタイミング、フレームタイミングの同期をとる。Ｐ−ＳＳとＳ−ＳＳあわせて、同期信号（SS）にはセル毎に割り当てられたＰＣＩ（Physical Cell Identity）に１対１対応するシンクロナイゼーションコードが割り当てられている。ＰＣＩの数は現在５０４通りが検討されており、この５０４通りのＰＣＩを用いて同期をとるとともに、同期がとれたセルのＰＣＩを検出（特定）する。次に同期がとれたセルに対して、ステップＳＴ１２０２で、基地局からセル毎に送信される参照信号ＲＳ（Reference Signal）を検出し受信電力の測定を行う。参照信号ＲＳにはＰＣＩと１対１に対応したコードが用いられており、そのコードで相関をとることによって他セルと分離できる。ＳＴ１２０１で特定したＰＣＩから該セルのＲＳ用のコードを導出することによって、ＲＳを検出し、ＲＳ受信電力を測定することが可能となる。次にＳＴ１２０３で、ＳＴ１２０２までで検出されたひとつ以上のセルの中から、ＲＳの受信品質が最も良いセル（例えば、ＲＳの受信電力が最も高いセル、つまりベストセル）を選択する。次にＳＴ１２０４でベストセルのＰＢＣＨを受信して、報知情報であるＢＣＣＨを得る。ＰＢＣＨ上のＢＣＣＨには、セル構成情報が含まれるＭＩＢ（Master Information Block）がのる。ＭＩＢの情報としては、例えば、ＤＬ（ダウンリンク）システム帯域幅（送信帯域幅設定（transmission bandwidth configuration：dl-bandwidth）とも呼ばれる）、送信アンテナ数、ＳＦＮ（System Frame Number）などがある。
【００４０】
次に１２０５で、ＭＩＢのセル構成情報をもとに該セルのＤＬ−ＳＣＨを受信して、報知情報ＢＣＣＨの中のＳＩＢ（System Information Block）１を得る。ＳＩＢ１には該セルへのアクセスに関する情報や、セルセレクションに関する情報、他のＳＩＢ（SIBk;k≧2の整数）のスケジューリング情報が含まれる。また、ＳＩＢ１にはＴＡＣ（Tracking Area Code）が含まれる。次にＳＴ１２０６で、移動端末は、ＳＴ１２０５で受信したＴＡＣと、移動端末が既に保有しているＴＡＣと比較する。比較した結果、同じならば、該セルで待ち受け動作に入る。比較して異なる場合は、移動端末は該セルを通してコアネットワーク（Core Network, EPC）（ＭＭＥなどが含まれる）へ、ＴＡＵ（Tracking Area Update）を行うためＴＡの変更を要求する。コアネットワークは、ＴＡＵ要求信号とともに移動端末から送られてくる該移動端末の識別番号（UE−IDなど）をもとに、ＴＡの更新を行う。コアネットワークはＴＡの更新後、移動端末にＴＡＵ受領信号を送信する。移動端末は該セルのＴＡＣで、移動端末が保有するＴＡＣ（あるいはＴＡＣリスト）を書き換える（更新する）。その後移動端末は該セルで待ち受け動作に入る。
【００４１】
ＬＴＥやＵＭＴＳ（Universal Mobile Telecommunication System）においては、ＣＳＧ（Closed Subscriber Group）セルの導入が検討されている。前述したように、ＣＳＧセルに登録したひとつまたは複数の移動端末のみにアクセスが許される。ＣＳＧセルと登録されたひとつまたは複数の移動端末がひとつのＣＳＧを構成する。このように構成されたＣＳＧにはＣＳＧ−ＩＤと呼ばれる固有の識別番号が付される。なお、ひとつのＣＳＧには複数のＣＳＧセルがあっても良い。移動端末はどれかひとつのＣＳＧセルに登録すればそのＣＳＧセルが属するＣＳＧの他のＣＳＧセルにはアクセス可能となる。また、ＬＴＥでのＨｏｍｅ−ｅＮＢやＵＭＴＳでのＨｏｍｅ−ＮＢがＣＳＧセルとして使われることがある。ＣＳＧセルに登録した移動端末は、ホワイトリストを有する。具体的にはホワイトリストはＳＩＭ／ＵＳＩＭに記憶される。ホワイトリストには、移動端末が登録したＣＳＧセルのＣＳＧ情報がのる。ＣＳＧ情報として具体的には、ＣＳＧ−ＩＤ、ＴＡＩ（Tracking Area Identity）、ＴＡＣなどが考えられる。ＣＳＧ−ＩＤとＴＡＣが対応づけられていれば、どちらか一方で良い。また、ＣＳＧ−ＩＤやＴＡＣとＧＣＩ（Global Cell Identity）が対応付けられていればＧＣＩでもよい。以上から、ホワイトリストを有しない（本発明においては、ホワイトリストが空（empty）の場合も含める）移動端末は、ＣＳＧセルにアクセスすることは不可能であり、ｎｏｎ−ＣＳＧセルのみにしかアクセスできない。一方、ホワイトリストを有する移動端末は、登録したＣＳＧ−ＩＤのＣＳＧセルにも、ｎｏｎ−ＣＳＧセルにもアクセスすることが可能となる。
【００４２】
３ＧＰＰでは、全ＰＣＩ（Physical Cell Identity）を、ＣＳＧセル用とｎｏｎ−ＣＳＧセル用とに分割（ＰＣＩスプリットと称する）することが議論されている（非特許文献５）。またＰＣＩスプリット情報は、システム情報にて基地局から傘下の移動端末に対して報知されることが議論されている。ＰＣＩスプリットを用いた移動端末の基本動作を開示する。ＰＣＩスプリット情報を有しない移動端末は、全ＰＣＩを用いて（例えば５０４コード全てを用いて）セルサーチを行う必要がある。対してＰＣＩスプリット情報を有する移動端末は、当該ＰＣＩスプリット情報を用いてセルサーチを行うことが可能である。
また３ＧＰＰでは、ハイブリッドセルのためのＰＣＩは、ＣＳＧセル用のＰＣＩ範囲の中には含まれないことが決定されている（非特許文献１  １０．７章）。
【００４３】
３ＧＰＰでは、一時的なＣＳＧメンバーを認める。一時的なメンバーはテンポラリメンバー（temporary member）、あるいは訪問者（ビジタ：visitor）とも呼ばれる。テンポラリメンバーはＣＳＧメンバーとして認める期間（テンポラリー期間）を設定することが可能である（非特許文献６）。
【００４４】
３ＧＰＰでは、移動端末がＣＳＧセルをセレクション、あるいはリセレクションする方法について２つのモードが存在する。１つ目は自動（Automatic）モードである。自動モードの特徴を以下に示す。移動端末内の許可ＣＳＧリスト（Allowed CSG ID List）を利用してセレクション、あるいはリセレクションを行う。ＰＬＭＮ選択が完了した後、ｎｏｎ−ＣＳＧセル、あるいは許可ＣＳＧリストに存在するＣＳＧ  ＩＤを伴うＣＳＧセルである場合にのみ、選択している該ＰＬＭＮ中の１つのセルにキャンプオンする。移動端末の許可ＣＳＧリストが空であるなら、移動端末はＣＳＧセルの自立（autonomous）サーチ機能を停止する（非特許文献３  ５．２．４．８．１章）。
【００４５】
２つ目は手動（Manual）モードである。手動モードの特徴を以下に示す。移動端末は、現在選択されているＰＬＭＮで利用可能なＣＳＧのリストをユーザに示す。移動端末がユーザに提供するＣＳＧのリストは移動端末に保存されている許可ＣＳＧリストに含まれるＣＳＧに限られない。ユーザが該ＣＳＧのリストを基に選定した後、移動端末は選択されたＣＳＧ  ＩＤを伴うセルへキャンプオンし、登録（register）を試みる（非特許文献３  ５．２．４．８．１章）。
【００４６】
ＨｅＮＢ及びＨＮＢに対してはさまざまなサービスへの対応が求められている。例えば、オペレータは、ある決められたＨｅＮＢ及びＨＮＢに移動端末を登録させ、登録した移動端末のみにＨｅＮＢ及びＨＮＢのセルへのアクセスを許可することで、該移動端末が使用できる無線リソースを増大させて高速に通信を行えるようにする。その分、オペレータは課金料を通常よりも高く設定する。といったサービスである。こういったサービスを実現するため、登録した（加入した、メンバーとなった）移動端末のみがアクセスできるＣＳＧ（Closed Subscriber Group cell）セルが導入されている。ＣＳＧ（Closed Subscriber Group cell）セルは、商店街やマンション、学校、会社などへ数多く設置されることが要求される。たとえば、商店街では店舗ごと、マンションでは部屋ごと、学校では教室ごと、会社ではセクションごとにＣＳＧセルを設置し、各ＣＳＧセルに登録したユーザのみが該ＣＳＧセルを使用可能とするような使用方法が要求されている。ＨｅＮＢ／ＨＮＢはマクロセルのカバレッジ外での通信を補完するためだけでなく、上述したようなさまざまなサービスへの対応が求められている。このため、ＨｅＮＢ／ＨＮＢがマクロセルのカバレッジ内に設置される場合も生じる。ＨｅＮＢ／ＨＮＢがマクロセルのカバレッジ内に設置されるような場合、ＨｅＮＢ／ＨＮＢとマクロセル間で干渉が生じることとなる。ＨｅＮＢ／ＨＮＢカバレッジ内でＨｅＮＢ／ＨＮＢと通信を行なっている移動端末（ＵＥ）は、マクロセルからの電波が干渉となり、ＨｅＮＢ／ＨＮＢとの通信が妨げられ、干渉電力が大きくなると通信ができなくなってしまうことになる。逆に、マクロセルカバレッジ内でマクロセルと通信を行なっている移動端末が、マクロセルカバレッジ内に設置されたＨｅＮＢ／ＨＮＢのカバレッジ内に移動するような場合、ＨｅＮＢ／ＨＮＢからの電波が干渉となり、マクロセルとの通信が妨げられ、干渉電力が大きくなると、通信ができなくなってしまうことになる。
【００４７】
一般に、あるセルのカバレッジ内において他のセルから干渉電力が大きくなった場合、通信を切断しないようにするため、移動端末は該他のセルあるいはその他の適切なセルへハンドオーバ（ＨＯ）やセルの再選択（Re-selection）できるようにしている。しかし、移動端末がそれらのセルへハンドオーバやリセレクションができない場合、該他のセルからの干渉電力が増大し、通信が切断してしまうという問題が生じる。例えば、３ＧＰＰにおいて、上述したように、ＨｅＮＢ／ＨＮＢがクローズドアクセスモードのＣＳＧセルであった場合を検討する。マクロセルのカバレッジ内に該ＣＳＧセルを設置したとすると、ＣＳＧカバレッジ内で、上述したようにマクロセルとＣＳＧセル間で干渉が生じる。このような場合に、該ＣＳＧセルにユーザ登録していない移動端末は、該ＣＳＧセルからの干渉によりマクロセルとの通信が不可能になるという問題が生じてしまう。
【００４８】
図１３にマクロセルのカバレッジ内にＣＳＧセルを設置した状況およびその状況における移動端末での受信信号干渉波比（ＳＩＲ）の概念図を示す。図１３（ａ）に示すようにマクロセル１３０２のカバレッジ１３０１内にＣＳＧセル１３０３が設置され、マクロセルカバレッジ１３０１内でマクロセル１３０２と通信を行なっている移動端末１３０５が、マクロセルカバレッジ１３０１内に設置されたＣＳＧセル１３０３のカバレッジ１３０４内に移動するような場合、ＣＳＧセル１３０３からの電波が干渉となり、マクロセル１３０２との通信が妨げられる。図１３（ｂ）にＨｅＮＢ（ＣＳＧセル１３０３に対応）が設置される前の移動端末でのＳＩＲを、図１３（ｃ）にＨｅＮＢ１３０３が設置された場合の移動端末のＳＩＲを示す。横軸はマクロセルの基地局（ｅＮＢ）（マクロセル１３０２に対応）からの距離、縦軸はＳＩＲである。移動端末は該ＣＳＧにユーザ登録していないとする。図１３（ｂ）に示すように、ＨｅＮＢが設置されない場合は、移動端末がｅＮＢから離れるに従ってＳＩＲは徐々に減少していく。ＳＩＲが閾値ａより大きい場合は通信可能であり、小さい場合は通信不可能である。図１３（ｃ）に示すように、ｅＮＢ（マクロセル１３０２に対応）のカバレッジ内にＨｅＮＢ１３０３が設置された場合、ＨｅＮＢ１３０３近傍で、破線で示すＨｅＮＢ１３０３からの電波が強くなる。ｅＮＢ１３０２と通信している移動端末にとっては、このＨｅＮＢ１３０３からの電波が干渉となり、ｅＮＢ１３０２からのＳＩＲはＨｅＮＢ近傍で極端に劣化してしまう。このため、ＨｅＮＢ近傍で移動端末のＳＩＲは閾値ａより小さくなる場合が生じる。移動端末での受信信号干渉波比(ＳＩＲ)を一点破線で示す。移動端末は該ＨｅＮＢ１３０３へハンドオーバあるいはセルの再選択を試みるが、該ＨｅＮＢ１３０３はクローズドアクセスモードのＣＳＧセルなので、移動端末１３０５が該ＣＳＧへ登録していないので、ハンドオーバすることができず、通信が切断されてしまう。
【００４９】
図１４に複数（ここでは二つ）のマクロセル１４０１、１４０７のカバレッジ１４０２、１４０６内にＣＳＧセル１４０４を設置した状況およびその状況における移動端末での受信信号干渉波比（ＳＩＲ）の概念図を示す。図１４（ａ）に示すように二つのマクロセル１４０１、１４０７のカバレッジ１４０２、１４０６内にＣＳＧセル１４０４が設置され、マクロセルカバレッジ１４０２、１４０６内でマクロセル１４０１、あるいは１４０７と通信を行なっている移動端末１４０３が、マクロセルカバレッジ１４０５内に設置されたＣＳＧセル１４０４のカバレッジ内に移動するような場合、ＣＳＧセル１４０４からの電波が干渉となり、マクロセル１４０１、１４０７との通信が妨げられる。図１４（ｂ）にＨｅＮＢが設置される前の移動端末１４０３でのＳＩＲを、図１４（ｃ）にＨｅＮＢが設置された場合の移動端末１４０３でのＳＩＲを示す。移動端末は該ＣＳＧにユーザ登録していないとする。図１４（ｂ）に示すように、ＨｅＮＢが設置されない場合は、移動端末がｅＮＢ＃１（例えばマクロセル１４０１に対応）から離れるに従ってＳＩＲは徐々に減少していく。途中で、ｅＮＢ＃２（例えばマクロセル１４０７に対応）からの電波が強くなり、ｅＮＢ＃１からの電波によるＳＩＲが閾値ａを下回る前に、移動端末はｅＮＢ＃２にハンドオーバあるいはセルリセレクションする。移動端末での受信信号干渉波比(ＳＩＲ)を一点破線で示す。一方、図１４（ｃ）に示すように、二つのセル１４０１、１４０７（図１４（ｃ）ｅＮＢ＃１、ｅＮＢ＃２）のカバレッジ内にＨｅＮＢ１４０４が設置された場合、ＨｅＮＢ近傍で破線で示すＨｅＮＢからの電波が強くなるため、ｅＮＢ＃１あるいはｅＮＢ＃２と通信している移動端末にとっては、このＨｅＮＢからの電波が干渉となり、ｅＮＢ＃１あるいはｅＮＢ＃２からのＳＩＲはＨｅＮＢ近傍で極端に劣化してしまう。このため、ＨｅＮＢ近傍で移動端末のＳＩＲは閾値ａより小さくなる場合が生じる。移動端末での受信信号干渉波比(ＳＩＲ)を一点破線で示す。
【００５０】
ｅＮＢ＃１と通信している移動端末は、ＨｅＮＢ近傍で移動端末１４０３のＳＩＲは閾値ａより小さくなった場合、ｅＮＢ＃２へハンドオーバあるいはセルの再選択を試みるが、ｅＮＢ＃２のＳＩＲも閾値ａを下回っているため、ハンドオーバあるいはセルの再選択が不可能となる。また、移動端末１４０３は、ＨｅＮＢ１４０４へハンドオーバあるいはセル再選択を試みるが、該ＨｅＮＢはクローズドアクセスモードのＣＳＧセルなので、移動端末１４０３が該ＣＳＧへ登録していないので、アクセスすることができず、ハンドオーバあるいはセルリセレクションすることができない。したがって、通信が切断されてしまう。
【００５１】
以上の例では、マクロセル（ｅＮＢ）で通信している移動端末がＣＳＧセルにハンドオーバできない場合について問題が生じることを述べたが、ＣＳＧセルで通信している移動端末がマクロセル（ｅＮＢ）にハンドオーバできない場合も同様に、通信が切断されてしまうという問題が生じる。
【００５２】
３ＧＰＰにおいて、上記干渉問題の解決策が検討されている（非特許文献７）。非特許文献７には、ＡからＥまでの５つの方法が記載されている。Ａは、ＨｅＮＢ／ＨＮＢが、ＣＳＧメンバーであり、専用チャネル（Dedicated Channel）を使用し、固定出力（Fixed Power）となる方法である。Ｂは、ＨｅＮＢ／ＨＮＢが、ＣＳＧメンバーであり、専用チャネル（Dedicated Channel）を使用し、適応出力（Adaptive Power）となる方法である。Ｃは、ＨｅＮＢ／ＨＮＢが、ＣＳＧメンバーであり、共同チャネル（Co-Channel）を使用し、適応出力（Adaptive Power）となる方法である。Ｄは、ＨｅＮＢ／ＨＮＢが、ＣＳＧメンバーであり、部分的共同チャネル（Partial Co-Channel）を使用する方法である。Ｅは、ＨｅＮＢ／ＨＮＢが、オープンアクセスモード設定で動作し、専用チャネルあるいは共同チャネルを使用する方法である。専用チャネルでは、ＨｅＮＢ／ＨＮＢがマクロセル（ＮＢあるいはｅＮＢ）とは異なる専用の周波数が使用される。共同チャネルでは、ＨｅＮＢ／ＨＮＢがマクロセル（ＮＢあるいはｅＮＢ）と同じ周波数が使用される。部分的共同チャネルでは、ＨｅＮＢ／ＨＮＢの使用する周波数がマクロセル（ＮＢあるいはｅＮＢ）の使用する周波数の一部となる。
【００５３】
本発明では、上記ＨｅＮＢ／ＨＮＢがマクロセルカバレッジ内に設置される場合の干渉問題の解決策として、非特許文献７における方法Ａ、あるいは方法Ｂが用いられた場合についてさらに検討する。
図１５に非特許文献７における方法Ｂの概念図を示す。マクロセル１５０１のカバレッジ１５０２内にＨｅＮＢ／ＨＮＢ１５０３、ＨｅＮＢ／ＨＮＢ１５０５、ＨｅＮＢ／ＨＮＢ１５０７が設置されている。ＨｅＮＢ／ＨＮＢ１５０３のカバレッジは１５０４である。ＨｅＮＢ／ＨＮＢ１５０５のカバレッジは１５０６である。ＨｅＮＢ／ＨＮＢ１５０７のカバレッジは１５０８である。また、マクロセルの圏外（通信エリア外）にＨｅＮＢ／ＨＮＢ１５０９、ＨｅＮＢ／ＨＮＢ１５１１、ＨｅＮＢ／ＨＮＢ１５１３が設置されている。ＨｅＮＢ／ＨＮＢ１５０９のカバレッジは１５１０である。ＨｅＮＢ／ＨＮＢ１５１１のカバレッジは１５１２である。ＨｅＮＢ／ＨＮＢ１５１３のカバレッジは１５１４である。ＨｅＮＢ／ＨＮＢ１５０３、ＨｅＮＢ／ＨＮＢ１５０５、ＨｅＮＢ／ＨＮＢ１５０７、ＨｅＮＢ／ＨＮＢ１５０９、ＨｅＮＢ／ＨＮＢ１５１１、ＨｅＮＢ／ＨＮＢ１５１３はクローズドアクセスモードで動作しているとする。
マクロセル１５０１で用いられる周波数はマクロセル用のキャリア周波数（ｆ１）とする。マクロセル用のキャリア周波数レイヤを１５１５にて示す。
ＨｅＮＢ／ＨＮＢ１５０３、ＨｅＮＢ／ＨＮＢ１５０５、ＨｅＮＢ／ＨＮＢ１５０７、ＨｅＮＢ／ＨＮＢ１５０９、ＨｅＮＢ／ＨＮＢ１５１１、ＨｅＮＢ／ＨＮＢ１５１３で用いられる周波数はＣＳＧセル用のキャリア周波数（ｆ２）とする。ＣＳＧセル用のキャリア周波数レイヤを１５１６にて示す。
マクロセル１５０１のカバレッジ１５０２内にＨｅＮＢ／ＨＮＢ１５０３、ＨｅＮＢ／ＨＮＢ１５０５、ＨｅＮＢ／ＨＮＢ１５０７が設置されていることから、マクロセル１５０１、ＨｅＮＢ／ＨＮＢ１５０３、ＨｅＮＢ／ＨＮＢ１５０５、ＨｅＮＢ／ＨＮＢ１５０７が同じ周波数にて動作すれば、図１３、図１４を用いて説明した通り干渉問題が生じる。
しかし図１５においては、マクロセル（１５０１）とＨｅＮＢ／ＨＮＢ（１５０３、１５０５、１５０７）が異なる周波数にて動作することから干渉問題は生じない。
【００５４】
非特許文献７における方法Ａ、あるいは方法Ｂが用いられた場合のマクロセル（図１５の１５０１）のカバレッジ内（図１５の１５０２）にＨｅＮＢ／ＨＮＢ（図１５の１５０３、１５０５、１５０７）を設置した場合を検討する。マクロセル（図１５の１５０１）のキャリア周波数（ｆ１）とＨｅＮＢ／ＨＮＢセル（図１５の１５０３、１５０５、１５０７）のキャリア周波数（ｆ２）が異なるため、干渉問題は回避され、干渉対策として該ＨｅＮＢ／ＨＮＢセルをオープンアクセスモード対応とする必要は無い。また、該ＨｅＮＢ／ＨＮＢセルが属するＣＳＧに未登録の移動端末であっても、該ＨｅＮＢ／ＨＮＢセル設置場所において、移動体通信システムのサービスを受けることが可能である。なぜならば、マクロセル（図１５の１５０１）のカバレッジ内（図１５の１５０２）だからである。
一方、非特許文献７における方法Ａ、あるいは方法Ｂが用いられた場合のマクロセル（図１５の１５０１）のカバレッジ外にＨｅＮＢ／ＨＮＢ（図１５の１５０９、１５１１、１５１３）を設置した場合を検討する。ＨｅＮＢ／ＨＮＢの設置場所がマクロセルの圏外であるため、干渉問題は生じない。しかし、該ＨｅＮＢ／ＨＮＢセルが属するＣＳＧに未登録の移動端末は、該ＨｅＮＢ／ＨＮＢセル設置場所において、移動体通信システムのサービスを受けることが不可能となる。なぜならば、マクロセル（図１５の１５０１）圏外だからである。
【００５５】
このように、マクロセル圏外でクローズドアクセスモードにて動作するＨｅＮＢ／ＨＮＢセルを設置した場所にて、該ＣＳＧに未登録の移動端末が移動体通信システムのサービスを受けられないという課題が発生する。
従来の解決策を以下に示す。該場所にマクロセルを設置すれば、該場所がマクロセル圏内となり、ＣＳＧに未登録の移動端末も、該場所において移動体通信システムのサービスを受けることが可能となる。しかし、マクロセルの設置には莫大な費用が発生する。
本発明では、上記新たな課題を解決する。つまり、クローズドアクセスモードにて動作するＨｅＮＢ／ＨＮＢがＣＳＧセル用のキャリア周波数を用いて動作する場合、マクロセル圏外における該ＨｅＮＢ／ＨＮＢ設置場所では、該ＨｅＮＢ／ＨＮＢが属するＣＳＧへ未登録の移動端末が移動体通信システムのサービスを受けられないという課題を、コストを抑制しつつ解決する方法を開示する。
【００５６】
実施の形態１における解決策を以下に開示する。ＣＳＧセル用のキャリア周波数を設ける移動体通信システムにおいて、ＨｅＮＢ／ＨＮＢのアクセスモードをハイブリッドアクセスモードとする。また、マクロセル用のキャリア周波数とＣＳＧセル用のキャリア周波数が異なる場合にＨｅＮＢ／ＨＮＢのアクセスモードをハイブリッドアクセスモードとする。
マクロセル圏外に設置された全てのＨｅＮＢ／ＨＮＢをハイブリッドアクセスモードとしても良い。また、マクロセル圏外に設置された一部のＨｅＮＢ／ＨＮＢをハイブリッドアクセスモードとしても良い。一部のＨｅＮＢ／ＨＮＢをハイブリッドアクセスモードとする場合、必要なＨｅＮＢ／ＨＮＢをハイブリッドアクセスモードとしても良い。必要なセルの具体例としては、マクロセル圏外に設置され、該ＨｅＮＢ／ＨＮＢのカバレッジ内の該ＨｅＮＢ／ＨＮＢが属するＣＳＧに未登録の移動端末が移動体通信システムのサービスを受ける必要があるセルなどがある。
該ハイブリッドアクセスモードで動作するＨｅＮＢ／ＨＮＢのキャリア周波数をＣＳＧセル用のキャリア周波数とする。また、該ハイブリッドアクセスモードで動作するＨｅＮＢ／ＨＮＢのキャリア周波数をマクロセル用のキャリア周波数とは異なる周波数としても良い。
ＣＳＧセル用のキャリア周波数をＣＳＧ専用チャネル（CSG Dedicated Channel）、ＣＳＧ専用周波数、ＣＳＧ専用キャリア、ＣＳＧ専用周波数レイヤなどとも称する。ＣＳＧセル用のキャリア周波数は、ＣＳＧセル用の周波数帯域中に含まれる周波数であっても良い。ＣＳＧセル用のキャリア周波数は、ＣＳＧセル用の周波数帯域を表すとしても良い。またＣＳＧセル用のキャリア周波数は、ＣＳＧセル用の周波数帯域中に含まれる一部の周波数帯域を表すとしても良い。また、ＣＳＧセル用のキャリア周波数は、マクロセル専用周波数と異なる周波数であっても良い。ＣＳＧセル用のキャリア周波数は、マクロセル専用の周波数帯域中に含まれない周波数であっても良い。
また、マクロセル用のキャリア周波数をマクロ専用チャネル、マクロ専用周波数、マクロ専用キャリア、マクロ専用周波数レイヤなどとも称する。マクロセル用のキャリア周波数は、マクロセル用の周波数帯域中に含まれる周波数であっても良い。マクロセル用のキャリア周波数は、マクロセル用の周波数帯域を表すとしても良い。またマクロセル用のキャリア周波数は、マクロセル用の周波数帯域中に含まれる一部の周波数帯域を表すとしても良い。また、マクロセル用のキャリア周波数は、ＣＳＧ専用周波数と異なる周波数であっても良い。マクロセル用のキャリア周波数は、ＣＳＧ専用の帯域中に含まれない周波数であっても良い。
ＵＴＲＡ、ＬＴＥ、ＬＴＥ−Ａなどのシステムでは、上り、下りともに、いくつかの連続した周波数からなる周波数帯域（単に帯域と称することもある）で動作するように設計されている。これら各々の周波数帯域を、周波数バンドと称することもある。
【００５７】
図１６に実施の形態１の解決策の概念図を示す。図１５と同じ参照符号は相当する部分であるので、説明は省略する。横方向は基地局の設置場所、あるいは移動端末の場所などを示し、縦方向は周波数レイヤを示す。例えばマクロセル圏外に、移動端末１６０１が存在する。マクロセル圏外にＨｅＮＢ／ＨＮＢ１５０９、ＨｅＮＢ／ＨＮＢ１５１１、ＨｅＮＢ／ＨＮＢ１５１３が設置され、クローズドアクセスモードで動作しているとする。移動端末１６０１は、ＨｅＮＢ／ＨＮＢ１５１１が属するＣＳＧへ未登録であったとする。一方、移動端末１６０１は移動体通信システムのサービスを受ける必要があるとする。また、該移動端末１６０１がＨｅＮＢ／ＨＮＢ１５１１のカバレッジ１５１２内に位置する場合を考える。実施の形態１の解決策では、ＨｅＮＢ／ＨＮＢ１５１１のアクセスモードをハイブリッドアクセスモードとする。その結果、ＨｅＮＢ／ＨＮＢ１５１１のカバレッジ１５１２はオープンアクセスモード対応となるエリアであり、図１６では斜線のハッチングで示す。また、該ＨｅＮＢ／ＨＮＢ１５１１のキャリア周波数は、ＣＳＧセル用のキャリア周波数とする。図１６では、ＨｅＮＢ／ＨＮＢ１５１１のキャリア周波数は、ｆ２となる。
【００５８】
ハイブリッドアクセスモードとするセルの選択方法としては、サービス提供者、あるいはオペレータが、特定の移動端末以外の移動端末に通信サービスを提供したいエリアを選択し、該エリアに設置されているＨｅＮＢ／ＨＮＢのアクセスモードをハイブリッドとする必要があると判断するとしても良い。あるいは、サービス提供者などの判断を経ない、アクセスモードをハイブリッドとする必要があるクローズドアクセスモードで動作中のＨｅＮＢ／ＨＮＢの選択方法の具体例を以下４つ開示する。（１）コアネットワーク（Core Network, EPC）（ＭＭＥなどが含まれる）は、クローズドアクセスモードで動作中のＨｅＮＢ／ＨＮＢを経由して送信されてきた、移動端末によるＴＡＵ（Tracking Area Update）の要求を拒絶する場合に、該ＨｅＮＢ／ＨＮＢのアクセスモードをハイブリッドとする必要があると判断する。あるいはコアネットワークは、クローズドアクセスモードで動作中のＨｅＮＢ／ＨＮＢを経由して送信されてきた、移動端末によるＴＡＵ（Tracking Area Update）の要求を、該移動端末が該ＨｅＮＢ／ＨＮＢの属するＣＳＧへ未登録であることを理由に拒絶する場合に、該ＨｅＮＢ／ＨＮＢのアクセスモードをハイブリッドとする必要があると判断するとしても良い。（２）クローズドアクセスモードで動作中の基地局は、移動端末によるＲＲＣ接続要求（RRC Connection Request）を拒絶する場合に、アクセスモードをハイブリッドとする必要があると判断する。あるいはクローズドアクセスモードで動作中の基地局は、移動端末によるＲＲＣ接続要求を、該移動端末が該ＨｅＮＢ／ＨＮＢの属するＣＳＧへ未登録であることを理由に拒絶する場合に、アクセスモードをハイブリッドとする必要があると判断するとしても良い。（３）コアネットワークが、クローズドアクセスモードで動作中のＨｅＮＢ／ＨＮＢの位置情報からマクロセル圏内であるか、マクロセル圏外であるか判断する。クローズドアクセスモードで動作中のＨｅＮＢ／ＨＮＢの位置情報がマクロセル圏外であれば、該ＨｅＮＢ／ＨＮＢのアクセスモードをハイブリッドとする必要があると判断する。一方、クローズドアクセスモードで動作中のＨｅＮＢ／ＨＮＢの位置情報がマクロセル圏内であれば、該ＨｅＮＢ／ＨＮＢのアクセスモードをハイブリッドとする必要が無いと判断しても良い。（４）クローズドアクセスモードで動作中の基地局は、周辺セル状況のメジャメントを行い、マクロセル圏内であるか、マクロセル圏外であるか判断する。マクロセル圏外であれば、アクセスモードをハイブリッドとする必要があると判断する。一方、マクロセル圏内であれば、アクセスモードをハイブリッドとする必要がないと判断しても良い。
一方、ハイブリッドアクセスモードの設定を解除するセルの選択方法の具体例としては、サービス提供者、あるいはオペレータが、特定の移動端末以外の移動端末に通信サービスを提供する必要がないエリアを選択し、該エリアに設置されているＨｅＮＢ／ＨＮＢのアクセスモードがハイブリッドアクセスモードとなっていれば、該アクセスモードの設定を解除する。該ハイブリッドアクセスモードをクローズドアクセスモードへ変更するとしても良い。
【００５９】
ハイブリッドアクセスモードの設定方法の具体例を以下２つ開示する。（１）コアネットワーク側がＨｅＮＢ／ＨＮＢへアクセスモードをハイブリッドに設定することを指示する。設定の指示は、Ｓ１インタフェースを用いて実行しても良い。また、ハイブリッドアクセスモードとするセルの選択方法（１）を用いた場合は、該ＴＡＵに対する拒絶（TAU reject）を通知すると共にアクセスモードの設定の指示を行っても良い。その場合、アクセスモードの設定内容をＴＡＵに対する拒絶通知メッセージの情報要素としても良い。これにより、一度のメッセージの送信にてＴＡＵに対する拒絶を通知することと、アクセスモードの設定を指示することが可能となり、処理負荷の軽減という効果を得ることが出来る。また、該ＴＡＵに対する拒絶の通知が、ハイブリッドアクセスモードの設定を指示する意味を併せ持つとしても良い。これにより、新たな情報を追加する必要がないという効果を得ることが出来る。（２）コアネットワークからの指示なしで、ＨｅＮＢ／ＨＮＢが独自にアクセスモードをハイブリッドに設定する。
【００６０】
ＨｅＮＢ／ＨＮＢのキャリア周波数を設定する方法の具体例を３つ開示する。（１）コアネットワーク側がＨｅＮＢ／ＨＮＢへアクセスモードの設定を指示する都度、キャリア周波数の設定も指示する。これにより、自由度の高いキャリア周波数の設定が可能となり、無線環境の変化に柔軟に対応可能な移動体通信システムの構築が可能となる効果を得ることができる。自由度の高いキャリア周波数の設定とは、例えば、ＣＳＧセル用のキャリア周波数が複数存在した場合、アクセスモードをハイブリッドモードに設定の都度、又はCSGセル毎に設定の都度、ネットワーク側がキャリア周波数を複数の中から選択して設定すること等をいう。設定の指示は、Ｓ１インタフェースを用いて実行しても良い。また、ハイブリッドアクセスモードとするセルの選択方法（１）を用いた場合は、該ＴＡＵの要求に対する拒絶（TAU reject）の通知と共にキャリア周波数の設定を指示しても良い。その場合、キャリア周波数の設定内容をＴＡＵ要求に対する拒絶通知メッセージの情報要素としても良い。これにより、一度のメッセージの送信にてＴＡＵ要求に対する拒絶の通知と、キャリア周波数の設定の指示を行うことが可能となり、処理負荷の軽減という効果を得ることが出来る。また、ハイブリッドアクセスモードの設定方法（１）を用いた場合は、該アクセスモードの設定を指示すると共にキャリア周波数の設定を指示しても良い。ＨｅＮＢ／ＨＮＢが関連する制御情報を共に受信することができ、処理負荷、処理遅延の削減という効果を得ることができる。（２）コアネットワーク側が事前にＨｅＮＢ／ＨＮＢへアクセスモード毎のキャリア周波数の設定を指示する。設定の指示は、Ｓ１インタフェースを用いて実行しても良い。ＨｅＮＢ／ＨＮＢは、該アクセスモード毎のキャリア周波数を記憶する。ＨｅＮＢ／ＨＮＢはアクセスモードが設定された場合、アクセスモードに応じたキャリア周波数を選択する。（２）の設定方法は、（１）の設定方法と比較して設定頻度を削減することが可能となり、移動体通信システムとしての処理負荷、処理遅延の削減という効果を得ることができる。（３）静的にアクセスモード毎のキャリア周波数を設定し、ＨｅＮＢ／ＨＮＢの記憶領域（ＣＰＵ、メモリ、ＳＩＭカードなど）に保存する。または、静的にアクセスモード毎のキャリア周波数を決定しておいても良い。ＨｅＮＢ／ＨＮＢはアクセスモードが設定された場合、アクセスモードに応じたキャリア周波数を選択する。（３）の設定方法は、（１）（２）の設定方法と比較してコアネットワーク側がＨｅＮＢ／ＨＮＢのキャリア周波数の設定を指示する必要がなくなるため、移動体通信システムとしての処理負荷、処理遅延の削減という効果を得ることができる。また、新たな設定を設ける必要がないため、移動体通信システムの複雑性を回避できるという効果を得ることができる。
なお、４つのサービス提供者などの判断を経ないハイブリッドアクセスモードとするセルの選択方法の具体例と、２つのハイブリッドアクセスモードの設定方法の具体例と、３つのＨｅＮＢ／ＨＮＢのキャリア周波数を設定方法の具体例は、自由に組み合わせることが可能である。
【００６１】
ハイブリッドアクセスモードとするセルの選択方法（１）、ハイブリッドアクセスモードの設定方法（１）、ＨｅＮＢ／ＨＮＢのキャリア周波数を設定する方法（１）を用いた場合の具体的動作例を、図１７を用いて説明する。例えば図１６のようにマクロセル１５０１、ＨｅＮＢ／ＨＮＢ１５０３、１５０５、１５０７、１５０９、１５１１、１５１３が設置され、移動端末１６０１がＨｅＮＢ／ＨＮＢ１５１１のカバレッジ１５１２内に存在する。ＨｅＮＢ／ＨＮＢ１５０３、１５０５、１５０７、１５０９、１５１１、１５１３はクローズドアクセスモードで動作しているとする。移動端末１６０１は、ＨｅＮＢ／ＨＮＢ１５１１の属するＣＳＧへ未登録とする。
ステップＳＴ１７０１にてＨｅＮＢ／ＨＮＢ１５１１は、クローズドアクセスモードで動作している。ステップＳＴ１７０２にて移動端末１６０１のユーザは、ＨｅＮＢの手動検索を実行する。ステップＳＴ１７０３にて移動端末１６０１は、セルサーチのための周辺セルのメジャメント動作を行い、セルサーチ、セル選択を行う。本動作例では移動端末１６０１は、ＨｅＮＢ／ＨＮＢ１５１１のカバレッジ１５１２内に存在するため、ＨｅＮＢ／ＨＮＢ１５１１をセル選択する。
【００６２】
セル選択したＣＳＧセルが、ユーザアクセス登録を行ったＣＳＧセルであろうとなかろうと、移動端末が該ＣＳＧセルへのＲＲＣ接続の設立を可能とし、ＣＳＧセルを介してネットワークにＴＡＵ要求を送信可能とする。従って、ステップＳＴ１７０４で移動端末１６０１は未登録のＣＳＧセル（ここではＨｅＮＢ／ＨＮＢ１５１１）に対してＲＲＣ接続要求を送信し、このＲＲＣ接続要求を受信したＨｅＮＢ／ＨＮＢ１５１１はこの接続要求に対する許可を移動端末１６０１に送信することで、移動端末１６０１とＨｅＮＢ／ＨＮＢ１５１１間でＲＲＣ接続を確立するようにしておく。
ステップＳＴ１７０５にて移動端末１６０１は、ＴＡＵ要求メッセージを、未登録のＣＳＧセル（ＨｅＮＢ／ＨＮＢ１５１１）を介してコアネットワークへ送信できるようにしておく。ここで移動端末は移動端末識別番号も送信する。該移動端末識別番号はＴＡＵ要求メッセージに含めても良いし、ＴＡＵ要求メッセージと一緒に送信しても良いし、別のメッセージとして送信しても良い。また、ユーザアクセス登録したＣＳＧセルではないＣＳＧセルが、手動検索の起動時と他の場合とを区別することが可能となるように、移動端末からのＲＲＣ接続要求メッセージ、ＴＡＵ要求メッセージに、手動検索起動時である旨の情報を含めるようにしても良い。これによって、未登録のＣＳＧセルが、手動検索起動時に限定して、該移動端末との間のＲＲＣ接続の確立、該移動端末からのＴＡＵ要求メッセージの受信、ＴＡＵ要求メッセージのコアネットワークへの送信などの一連のメッセージの送受信を可能とすることができる。
【００６３】
ステップＳＴ１７０６にて、ＴＡＵ要求メッセージを受信したコアネットワークは、やはり受信した該移動端末識別番号をもとに、該移動端末が、ＨｅＮＢ／ＨＮＢ１５１１のＣＳＧに属しているかどうかをチェックする。具体的には、コアネットワークは、各ＴＡＣもしくはＣＳＧ−ＩＤ毎に対応付けられた、ユーザアクセス許可されている移動端末識別番号のリストを有しておく。該リストを参照して、ＴＡＵ要求メッセージを送信してきたセル（ここではＨｅＮＢ／ＨＮＢ１５１１）の属するＣＳＧ−ＩＤに対応付けて該移動端末（ここでは移動端末１６０１）が登録されているか否かをチェックする。ステップＳＴ１７０６の処理は、例えばＭＭＥ、ＨＳＳ（Home Subscriber Server）で行っても良い。ＨＳＳとは、３ＧＰＰ移動通信網における加入者情報データベースである。認証情報、在圏情報などの管理を行う。
ステップＳＴ１７０７にて、ステップＳＴ１７０６のチェックの結果、移動端末１６０１が登録済みであるか否か判断する。未登録の場合、ステップＳＴ１７０８に移行する。登録済みの場合、本発明の特徴的部分でないため説明を省略する。
【００６４】
ステップＳＴ１７０８にてコアネットワークは、ＨｅＮＢ／ＨＮＢ１５１１を介して移動端末１６０１へ該ＴＡＵ要求に対する拒絶通知を送信する。これによりコアネットワークは、該ＨｅＮＢ／ＨＮＢのアクセスモードをハイブリッドとする必要があると判断する。ステップＳＴ１７０９にてコアネットワークは、ＨｅＮＢ／ＨＮＢ１５１１へハイブリッドアクセスモードに設定する指示を行う。
ステップＳＴ１７１０にてコアネットワークは、ＨｅＮＢ／ＨＮＢ１５１１のキャリア周波数を決定する。本動作例では、ハイブリッドアクセスモードに設定されるＨｅＮＢ／ＨＮＢ１５１１のキャリア周波数は、ＣＳＧセル用のキャリア周波数、例えば図１６のｆ２に決定される。ステップＳＴ１７１１にてコアネットワークは、ＨｅＮＢ／ＨＮＢ１５１１へキャリア周波数の設定を指示する。
ステップＳＴ１７０８、ステップＳＴ１７０９、ステップＳＴ１７１１は順次実行しても良いし同時に実行しても良い。順次実行する場合、順序は任意である。
ステップＳＴ１７１２にてＨｅＮＢ／ＨＮＢ１５１１は、キャリア周波数をステップＳＴ１７１１にて指示された周波数に設定する。本動作例は、ＣＳＧセル用のキャリア周波数、例えば図１６のｆ２に設定する。
ステップＳＴ１７１３にてＨｅＮＢ／ＨＮＢ１５１１は、アクセスモードをステップＳＴ１７０９にて指示されたモードに設定する。本動作例では、ハイブリッドアクセスモードに設定する。
【００６５】
ハイブリッドアクセスモードとするセルの選択方法（２）、ハイブリッドアクセスモードの設定方法（２）、ＨｅＮＢ／ＨＮＢのキャリア周波数を設定する方法（３）を用いた場合の具体的動作例を、図１８を用いて説明する。例えば図１６のようにマクロセル１５０１、ＨｅＮＢ／ＨＮＢ１５０３、１５０５、１５０７、１５０９、１５１１、１５１３が設置され、移動端末１６０１がＨｅＮＢ／ＨＮＢ１５１１のカバレッジ１５１２内に存在する。ＨｅＮＢ／ＨＮＢ１５０３、１５０５、１５０７、１５０９、１５１１、１５１３はクローズドアクセスモードで動作しているとする。移動端末１６０１は、ＨｅＮＢ／ＨＮＢ１５１１の属するＣＳＧへ未登録とする。図１７と同じ参照符号は相当する部分であるので、説明は省略する。
ステップＳＴ１８０１にて移動端末１６０１は、ＨｅＮＢ／ＨＮＢ１５１１へＲＲＣ接続要求を送信する。ここで移動端末は移動端末識別番号も送信する。該移動端末識別番号はＲＲＣ接続要求に含めても良いし、ＲＲＣ接続要求と一緒に送信しても良いし、別のメッセージとして送信しても良い。
ステップＳＴ１８０２にてＨｅＮＢ／ＨＮＢ１５１１は、受信した該移動端末識別番号をもとに、該移動端末が、ＨｅＮＢ／ＨＮＢ１５１１のＣＳＧに属しているかどうかをチェックする。具体的には、ＨｅＮＢ／ＨＮＢ１５１１は、自セルが属するＴＡＣもしくはＣＳＧ−ＩＤに対応付けられた、ユーザアクセス許可されている移動端末識別番号のリストを有しておく。該リストを参照して、ＲＲＣ接続要求を送信してきた該移動端末（ここでは移動端末１６０１）がＴＡＣもしくはＣＳＧ−ＩＤに対応付けて登録されているか否かをチェックする。ステップＳＴ１８０３にてＨｅＮＢ／ＨＮＢ１５１１は、ステップＳＴ１８０２のチェックの結果、移動端末１６０１が登録済みであるか否か判断する。未登録の場合、ステップＳＴ１８０４に移行する。登録済みの場合、本発明の特徴的部分でないため説明を省略する。
【００６６】
ステップＳＴ１８０４にてＨｅＮＢ／ＨＮＢ１５１１は、移動端末１６０１へ該ＲＲＣ接続要求に対する拒絶通知を送信する。これによりＨｅＮＢ／ＨＮＢ１５１１は、自セルのアクセスモードをハイブリッドとする必要があると判断する。
ステップＳＴ１８０５にてＨｅＮＢ／ＨＮＢ１５１１は、自セル内のメモリに予め保存されているアクセスモード毎のキャリア周波数から、ハイブリッドアクセスモードに応じたキャリア周波数を選択し、設定する。予め保存されているアクセスモード毎のキャリア周波数は１つであっても、複数であってもよい。本動作例では、ＣＳＧセル用のキャリア周波数として、例えば図１６のｆ２を選択し、設定する。
ステップＳＴ１８０６にてＨｅＮＢ／ＨＮＢ１５１１は、アクセスモードをハイブリッドアクセスモードに設定する。また、ＨｅＮＢ／ＨＮＢ１５１１は、該アクセスモードの変更をコアネットワークへ通知しても良い。該通知はＳ１インタフェースを用いて実行されても良い。
【００６７】
次に移動端末のセルサーチのための周辺セルのメジャメント動作について説明する。
まず、非特許文献３に示されている３ＧＰＰにおける異周波数測定における決定事項について説明する。周辺セルのメジャメント動作におていは移動端末はサービングセルによって提供されたパラメーターを使用する。システム情報にて周波数の優先度（Priority）が報知される。現在の周波数より高い再選択優先度（the reserection Priority）が存在する場合、移動端末は該異周波数において測定（Measurement）を行う。
現在の周波数と同じ、あるいは低い再選択優先度が存在する場合、移動端末は該異周波数において以下のような測定を行う。（１）異周波数測定の閾値（Ｓｎｏｎｉｎｔｒａｓｅａｒｃｈ）よりサービングセルの受信品質（Ｓｓｅｒｖｉｎｇｃｅｌｌ）が良好である場合、移動端末は該異周波数における測定を行わない。（２）異周波数測定の閾値の送信が無い場合、あるいはサービングセルの受信品質が異周波数測定の閾値以下の場合、移動端末は該異周波数における測定を行う。
また、移動端末が適切なセルとして、ＣＳＧセルにキャンプオンした場合、現在の周波数が最も高い優先度周波数と考えるものとする。少なくとも１つのＣＳＧ−ＩＤが移動端末内の許容ＣＳＧリストに含まれているとき、標準のセル再選択に加えて、適切なセルとしてのＣＳＧセルを検出するために、異周波数でのＣＳＧセルサーチの自動モード機能を使用する。移動端末が適切なセルとして、ＣＳＧセルを検出した場合、現在キャンプオンしているセルの周波数の再選択優先度にかかわらず、検出されたＣＳＧセルに再選択する。
【００６８】
実施の形態１を適用した場合の、移動端末のセルサーチのための周辺セルのメジャメント動作の具体例を、図１９を用いて説明する。セルサーチのための周辺セルのメジャメント動作は、セル選択、セル再選択（セルリセレクト）、ハンドオーバ時のハンドオーバ先（ターゲットセル）の選択のために用いることができる。
ステップＳＴ１９０１にて、ＣＳＧ登録を行っているか否か判断する。判断の具体例としては、ＣＳＧホワイトリスト、あるいは許可ＣＳＧリスト中にＣＳＧ−ＩＤが含まれているか否かを判断する。ＣＳＧ−ＩＤが含まれていればＣＳＧ登録を行っていると判断し、ＣＳＧ−ＩＤが含まれていなければＣＳＧ登録を行っていないと判断する。ＣＳＧ登録を行っていると判断した場合は、ステップＳＴ１９０７へ移行する。ＣＳＧ登録を行っていないと判断した場合は、ステップＳＴ１９０２へ移行する。
ステップＳＴ１９０２にて、ＣＳＧセルサーチの自動モード機能を停止する。
ステップＳＴ１９０３にて、サービングセル経由で受信した周波数の優先度をもとに、現在の周波数より高い再選択優先度を示す周波数が有るか否か判断する。高い優先度の周波数が存在する場合、ステップＳＴ１９０４へ移行する。高い優先度の周波数が存在しない場合、ステップＳＴ１９０５へ移行する。
ステップＳＴ１９０４にて、オープンアクセスモードにて動作するセル、あるいはハイブリッドアクセスモードにて動作するセルをサーチするために、該現在の周波数より高い再選択優先度を示す異周波数にてｎｏｎ−ＣＳＧセル用のＰＣＩを用いたメジャメントを行う。
ステップＳＴ１９０５にて、異周波数測定の閾値の送信が有るか否か、あるいはサービングセルの受信品質が異周波数測定の閾値と等しいか閾値よりも不良（受信品質をＳＩＲで示す場合は閾値以下）であるか否か判断する。閾値の送信がない場合、あるいはサービングセルの受信品質が異周波数測定の閾値と等しいか閾値よりも不良（受信品質をＳＩＲで示す場合は閾値以下）である場合は、ステップＳＴ１９０４へ移行する。サービングセルの受信品質が異周波数測定の閾値より良好である場合は、ステップＳＴ１９０６へ移行する。ステップＳＴ１９０６にて、異周波数でのメジャメントを行わない。
【００６９】
ステップＳＴ１９０７にて、ＣＳＧセルサーチの自動モード機能を継続する。ステップＳＴ１９０８にて、ＣＳＧセルへキャンプオンしているか否か判断する。ＣＳＧセルへキャンプオンしている場合はステップＳＴ１９０９へ移行する。ＣＳＧセルへキャンプオンしていない場合はステップＳＴ１９１０へ移行する。
ステップＳＴ１９０９にて、現在の周波数を最も高い再選択優先度とみなす。ステップＳＴ１９１０にて、適切なセルとしてのクローズドアクセスモード対応のセルを検出するために、異周波数にてメジャメントを行う。ＣＳＧセルとハイブリッドセルを検出するために全ＰＣＩを用いてメジャメントを行う。
ステップＳＴ１９１１にて、サービングセル経由で受信した周波数の優先度をもとに、現在の周波数より高い再選択優先度を示す周波数が有るか否か判断する。高い優先度の周波数が存在する場合、ステップＳＴ１９１２へ移行する。高い優先度の周波数が存在しない場合、ステップＳＴ１９１３へ移行する。
ステップＳＴ１９１２にて、オープンアクセスモードにて動作するセル、あるいはハイブリッドアクセスモードにて動作するセルをサーチするために、該現在の周波数より高い再選択優先度を示す異周波数にてｎｏｎ−ＣＳＧセル用のＰＣＩを用いたメジャメントを行う。
ステップＳＴ１９１３にて、異周波数測定の閾値の送信が有るか否か、あるいはサービングセルの受信品質が異周波数測定の閾値と等しいか閾値より不良（受信品質をＳＩＲで示す場合は閾値以下）であるか否か判断する。閾値の送信がない場合、あるいはサービングセルの受信品質が異周波数測定の閾値と等しいか閾値より不良（受信品質をＳＩＲで示す場合は閾値以下）である場合は、ステップＳＴ１９１２へ移行する。サービングセルの受信品質が異周波数測定の閾値より良好である場合は、ステップＳＴ１９１４へ移行する。ステップＳＴ１９１４にて、異周波数でのメジャメントを行わない。
【００７０】
実施の形態１により以下の効果を得ることが出来る。クローズドアクセスモードにて動作するＨｅＮＢ／ＨＮＢがＣＳＧセル用のキャリア周波数を用いて動作する場合、マクロセル圏外における該ＨｅＮＢ／ＨＮＢ設置場所において、該ＨｅＮＢ／ＨＮＢが属するＣＳＧへ未登録の移動端末が移動体通信システムのサービスを受けられないという課題を、莫大な費用のかかるマクロセルの設置を行わずに、解決することができる。つまり、マクロセルの設置を行わずに、クローズドアクセスモードにて動作するＨｅＮＢ／ＨＮＢをハイブリッドアクセスモードに設定することにより、マクロセル圏外におけるＨｅＮＢ／ＨＮＢ設置場所において、該ＨｅＮＢ／ＨＮＢが属するＣＳＧへ未登録の移動端末が移動体通信システムのサービスを受けることが可能となる。
【００７１】
実施の形態１  変形例１.
実施の形態１の変形例１にて解決する課題について説明する。実施の形態１の解決策を実行した場合、以下の新たな課題が発生する。キャンプオンしている、あるいは通信中の基地局のキャリア周波数（サービング周波数）以外に複数のキャリア周波数が存在した場合を検討する。この場合、移動端末のセルサーチのための周辺セルのメジャメント動作において以下の点において無駄な処理が発生する。図１９を用いて具体的に説明する。ステップＳＴ１９１０において、移動端末はクローズドアクセスモード対応（ＣＳＧセルとハイブリッドセル）の基地局を見つけるために、周辺セルのメジャメントを行っている。よって、ステップＳＴ１９１０において、クローズドアクセスモード対応の基地局が存在することがない、つまりオープンアクセスモードで動作している基地局のみ存在するキャリア周波数（例えば図１６のｆ１）でのサーチ動作自体が無駄な処理となる。上記、移動端末における無駄な処理により、移動端末の消費電力が増大するという課題が発生する。
【００７２】
実施の形態１の変形例１における解決策を以下に開示する。移動端末にキャリア周波数の種別を認識させる。
キャリア周波数の種別の具体例を以下４つ開示する。（１）ＣＳＧセル用のキャリア周波数、（２）マクロセル用のキャリア周波数、（３）ＣＳＧセル用のキャリア周波数とマクロセル用のキャリア周波数、（４）キャリア周波数をＣＳＧセル用のキャリア周波数として用いるか、マクロセル用のキャリア周波数として用いるかの種別。
キャリア周波数を示す情報の具体例を以下２つ開示する。（１）キャリア周波数の絶対値をキャリア周波数の情報として用いる。キャリア周波数の増減などに柔軟に対応できるという効果を有する。（２）キャリア周波数のインデックスを、キャリア周波数を示す情報として用いる。キャリア周波数とインデックスの関係は、静的に決定されていても良いし、準静的に決定されていても良い。静的に決定されている場合、キャリア周波数とインデックスの関係は移動端末内の記憶領域（ＣＰＵ、メモリ、ＳＩＭカードなど）に保存されていても良いし、予め決定されていても良い。準静的に決定される場合、キャリア周波数とインデックスの関係が変更の際に移動端末に通知されても良いし、変更の有無に関わらず定期的に移動端末に通知されても良い。
キャリア周波数を示す情報をキャリア周波数のインデックスとした場合の具体例を図２０に示す。インデックス「１」「２」「３」「４」をキャリア周波数ｆ１，ｆ２，ｆ３，ｆ４にそれぞれ対応したものとしている。これにより、キャリア周波数を示す情報の情報量を削減することが可能となり、無線リソースを有効に活用できるという効果を得ることができる。
キャリア周波数の種別の具体例（４）で示した、キャリア周波数をＣＳＧセル用のキャリア周波数として用いるか、マクロセル用のキャリア周波数として用いるかの種別を認識させる場合の具体例を図２１に示す。図２１における、キャリア周波数を示す情報は、上記（１）（２）を適用できる。図２１における種別については、情報ビット「１」がマクロセル用、情報ビット「０」がＣＳＧセル用などとしてもよい。これにより種別の情報量を削減することが可能となり、無線リソースの有効活用という効果を得ることができる。
【００７３】
移動端末にキャリア周波数の種別を認識させる方法の具体例を以下２つ開示する。（１）コアネットワークから移動端末へ通知する。（２）静的にキャリア周波数の種別を決定する。キャリア周波数の種別は、移動端末の記憶領域（ＣＰＵ、メモリ、ＳＩＭカードなど）に保存してもよいし、予め決定されていても良い。
コアネットワークから移動端末へ、キャリア周波数の種別の通知方法の具体例を以下２つ開示する。
（１）報知制御チャネル（ＢＣＣＨ）を用いて通知する。これは、傘下の全移動端末に対して通知可能であり、無線リソースの有効活用という点において優れた方法である。ＢＣＣＨを用いて通知する場合の具体例としては、ＭＩＢあるいはＳＩＢにマッピングすることが考えられる。ＭＩＢがＰＢＣＨにマッピングされることから、移動端末が制御遅延を少なく受信可能という点で、ＭＩＢを用いる方法は優れた方法である。ＳＩＢを用いる場合は、ＳＩＢ１を用いて通知する。ＭＩＢあるいはＳＩＢ１はセルサーチから待ち受けまでの間に必要最小限受信する報知情報であるので、移動端末の制御遅延を少なくする点において、ＭＩＢあるいはＳＩＢ１を用いる方法は優れた方法である。
またＳＩＢ３を用いて通知しても良い。ＳＩＢ３には同周波数のセルリセレクション、異周波数のセルリセレクションに関する情報がマッピングされるため、セルサーチのための周辺セルのメジャメントに用いる情報をともに受信可能となることで移動端末の処理を簡素化することができ、処理負荷軽減という効果を得ることができる。またＳＩＢ３中のセルリセレクション優先度（cellReselectionPriority）の情報要素の一部としても良い。異周波数のセルサーチのための周辺セルのメジャメントで用いる周波数に関する情報をともに受信可能となることで移動端末の処理を簡素化することができ、処理負荷軽減という効果を得ることができる。
またＳＩＢ５を用いて通知しても良い。ＳＩＢ５には、異周波数のセルリセレクションに関する情報がマッピングされるため、異周波数のセルサーチのための周辺セルのメジャメントに用いる情報をともに受信可能となることで移動端末の処理を簡素化することができ、処理負荷軽減という効果を得ることができる。またＳＩＢ５中の異周波数キャリア周波数情報（InterFreqCarrierFreqInfo）の情報要素の一部としても良い。異周波数のセルサーチのための周辺セルのメジャメントで用いる周波数に関する情報をともに受信可能となることで移動端末の処理を簡素化することができ、処理負荷軽減という効果を得ることができる。またＳＩＢ５中のセルリセレクション優先度（cellReselectionPriority）の情報要素の一部としても良い。異周波数のセルサーチのための周辺セルのメジャメントで用いる周波数に関する情報をともに受信可能となることで移動端末の処理を簡素化することができ、処理負荷軽減という効果を得ることができる。
またＳＩＢ９を用いて通知しても良い。ＳＩＢ９には、ＨｅＮＢに関する情報がマッピングされる。ＨｅＮＢに関する情報をともに受信可能となることで移動端末の処理を簡素化することができ、処理負荷軽減という効果を得ることができる。また、報知情報を用いて通知する場合は、ＣＳＧセル、あるいはＨｅＮＢ／ＨＮＢからのみとしてもよい、つまりマクロセルから報知しなくて良い。これにより、新たに追加されたエンティティであるＣＳＧセル、ＨｅＮＢ／ＨＮＢの報知情報に情報を追加すればよく、以前から存在するエンティティであるマクロセルの報知情報に情報を追加する必要はなく、互換性の高い移動体通信システムを構築することが可能となる。
（２）移動端末とネットワーク側の確立されたコネクションを用いて通知する。ネットワーク側は、該コネクションのうち制御情報（c-plane）を用いて、キャリア周波数の情報を通知する。さらに具体例としてはネットワーク側が、キャリア周波数の情報を、論理チャネルであるＣＣＣＨ、あるいはＤＣＣＨへマッピングし、トランスポートチャネルＤＬ-ＳＣＨ、物理チャネルＰＤＳＣＨを用いて、移動端末へ通知する。移動体通信システムを構築する上で、報知情報以外のＰＤＳＣＨの情報量の増加を許容することが比較的容易である。よって、本実施の形態で新たに設ける「キャリア周波数の情報」をＰＤＳＣＨにて通知することは、移動体通信システムの構築を容易にするという効果を得ることができる。また、セルリセレクション優先度（cellReselectionPriority）の情報要素の一部としても良い。異周波数のセルサーチのための周辺セルのメジャメントで用いる周波数に関する情報をともに受信可能となることで移動端末の処理を簡素化することができ、処理負荷軽減という効果を得ることができる。
【００７４】
実施の形態１の変形例１を適用した場合の、移動端末のセルサーチのための周辺セルのメジャメント動作の具体例を、図２２を用いて説明する。図１９と同じ参照符号は相当する部分であるので、説明は省略する。
ステップＳＴ２２０１にて、コアネットワークからキャリア周波数の種別を受信する。ステップＳＴ２２０２にて、適切なセルとしてのクローズドアクセスモード対応のセル（ＣＳＧセルとハイブリッドセル）を検出するために、異周波数にてメジャメントを行う。その際、ステップＳＴ２２０１にてコアネットワークから受信したキャリア周波数の種別を用いて、ＣＳＧセル用のキャリア周波数（図１６のｆ２）にて、適切なセルとしてのクローズドアクセスモード対応のセルを検出するためにメジャメントを行う。また静的にキャリア周波数の種別が決定されている場合は、決定内容を参照し、ＣＳＧセル用のキャリア周波数にて、適切なセルとしてのクローズドアクセスモード対応のセルを検出するためにメジャメントを行う。ＣＳＧセルとハイブリッドセルを検出するために全ＰＣＩを用いてメジャメントを行う。
【００７５】
実施の形態１の変形例１により、実施の形態１に加えて以下の効果を得ることが出来る。移動端末はクローズドアクセスモード対応の基地局を見つけるために、周辺セルのメジャメントを行う場合、ＣＳＧセル用のキャリア周波数にてセルサーチのための周辺セルのメジャメントを行えば良いことになる。つまり、クローズドアクセスモード対応の基地局を見つけるためのサーチ動作を行うだけで、オープンアクセスモードで動作している基地局のみ存在するキャリア周波数でのサーチ動作を削減することができる。これにより、移動端末の処理負荷軽減、消費電力削減という効果を得ることができる。つまり、ＣＳＧ登録済みの移動端末が適切なクローズドアクセスモード対応のセルを検出するために、ＣＳＧセル用のキャリア周波数とマクロセル用のキャリア周波数の複数の周波数を用いてサーチを行う必要がない。キャリア周波数を変更してのサーチ動作は、移動端末にとって処理負荷が高い。また、ＣＳＧ登録済みの移動端末は、サービングセルの受信品質が良好であっても、あるいは現在キャンプオンしている基地局のキャリア周波数の再選択優先度が高い場合であっても、適切なＣＳＧセルを検出するための異周波数のサーチ動作を行う必要がある。よって、本実施の形態を実施することで、適切なクローズドアクセスモード対応のセルを検出するための、対象のキャリア周波数を削減可能となることは、移動端末の処理負荷軽減に大きな効果がある。
【００７６】
実施の形態１  変形例２.
実施の形態１の変形例２にて解決する課題について説明する。実施の形態１の変形例１の解決策を実行した場合、以下の新たな課題が発生する。
ＣＳＧセル用のキャリア周波数が複数存在し、ハイブリッドアクセスモードで動作するＨｅＮＢ／ＨＮＢのキャリア周波数として用いることのできるＣＳＧセル用のキャリア周波数と、ハイブリッドアクセスモードで動作するＨｅＮＢ／ＨＮＢのキャリア周波数として用いないＣＳＧセル用のキャリア周波数が存在する場合を考える。ハイブリッドアクセスモードで動作するＨｅＮＢ／ＨＮＢのキャリア周波数として用いないＣＳＧセル用のキャリア周波数をＣＳＧセル専用キャリア周波数としてもよい。図２３に概念図を示す。図１５、図１６と同じ参照符号は相当する部分であるので、説明は省略する。マクロセル１５０１で用いられる周波数はマクロセル用のキャリア周波数（ｆ１）とする。マクロセル用のキャリア周波数レイヤを１５１５にて示す。ＨｅＮＢ／ＨＮＢ１５０３、ＨｅＮＢ／ＨＮＢ１５０５、ＨｅＮＢ／ＨＮＢ１５０７で用いられる周波数はＣＳＧセル用のキャリア周波数（ｆ２）とする、あるいはＣＳＧセル専用のキャリア周波数としてもよい。また、ハイブリッドアクセスモードで動作するＨｅＮＢ／ＨＮＢのキャリア周波数として用いないＣＳＧセル用のキャリア周波数としてもよい。ＣＳＧセル用のキャリア周波数レイヤ、あるいはＣＳＧセル専用のキャリア周波数レイヤを１５１６にて示す。ＨｅＮＢ／ＨＮＢ１５０９、ＨｅＮＢ／ＨＮＢ１５１１、ＨｅＮＢ／ＨＮＢ１５１３で用いられる周波数はＣＳＧセル用のキャリア周波数（ｆ４）とする。ｆ４は、ハイブリッドアクセスモードで動作するＨｅＮＢ／ＨＮＢのキャリア周波数として用いることのできるＣＳＧセル用のキャリア周波数とする。つまりｆ４はハイブリッドアクセスモードのセルとクローズドアクセスモードのセルが用いるキャリア周波数である。ハイブリッドアクセスモードで動作するＨｅＮＢ／ＨＮＢが用いることの出来るＣＳＧセル用のキャリア周波数レイヤを２３０１にて示す。
例えば図２３の場合、移動端末のセルサーチのための周辺セルのメジャメント動作において以下の点において無駄な処理が発生する。図２２を用いて具体的に説明する。ステップＳＴ１９０４、ステップＳＴ１９１２において、移動端末はオープンアクセスモード対応の基地局（マクロセルとハイブリッドセル）を見つけるために、周辺セルのメジャメントを行っている。よって、ステップＳＴ１９０４、ステップＳＴ１９１２において、オープンアクセスモード対応の基地局が存在することがない、つまりクローズドアクセスモードで動作している基地局のみ存在するキャリア周波数（図２３のｆ２）でのサーチ動作自体が無駄な処理となる。
またステップＳＴ２２０２において、移動端末はクローズドモード対応のセル、つまりＣＳＧセルかハイブリッドセルを見つけるために、周辺セルのメジャメントを行っている。よってステップＳＴ２２０２において、ハイブリッドセルの基地局が存在しない、すなわちハイブリッドアクセスモードで動作するＨｅＮＢ／ＨＮＢのキャリア周波数として用いない、ＣＳＧセル用のキャリア周波数（図２３のｆ２）を対象としてｎｏｎ−ＣＳＧセル用のＰＣＩを用いてサーチ動作を行うこと自体が無駄な処理となる。
上記、移動端末における無駄な処理により、移動端末の消費電力が増大するという課題が発生する。
【００７７】
実施の形態１の変形例２における解決策を以下に開示する。移動端末にキャリア周波数の種別を認識させる。
キャリア周波数の種別の具体例を以下３つ開示する。（１）ハイブリッドアクセスモードで動作するＨｅＮＢ／ＨＮＢが用いることができるＣＳＧセル用のキャリア周波数、（２）ハイブリッドアクセスモードで動作するＨｅＮＢ／ＨＮＢが用いることができるＣＳＧセル用のキャリア周波数とＣＳＧセル用のキャリア周波数とマクロセル用のキャリア周波数、（３）キャリア周波数を、ハイブリッドアクセスモードで動作するＨｅＮＢ／ＨＮＢが用いることができるＣＳＧセル用のキャリア周波数として用いるか、ＣＳＧセル用のキャリア周波数として用いるか、マクロセル用のキャリア周波数として用いるかの種別。
キャリア周波数を示す情報の具体例は、実施の形態１の変形例１と同様であるので説明を省略する。移動端末にキャリア周波数の種別を認識させる方法の具体例は、実施の形態１の変形例１と同様であるので説明を省略する。コアネットワークから移動端末へ、キャリア周波数の種別を通知する方法の具体例は、実施の形態１の変形例１と同様であるので説明を省略する。
【００７８】
実施の形態１の変形例２を適用した場合に、移動端末によるセルサーチのために実行する周辺セルのメジャメント動作の具体例を、図２４を用いて説明する。図１９、図２２と同じ参照符号は相当する部分であるので、説明は省略する。
ステップＳＴ２４０１にてハイブリッドセルを検出するために、異周波数にてｎｏｎ−ＣＳＧセル用のＰＣＩを用いたメジャメントを行う。その際、ステップＳＴ２２０１にてコアネットワークから受信したキャリア周波数の種別を用いて、ハイブリッドアクセスモードで動作するＨｅＮＢ／ＨＮＢが用いることができるＣＳＧセル用のキャリア周波数（図２３のｆ４）にて、ハイブリッドセルを検出するために、ｎｏｎ−ＣＳＧセル用のＰＣＩを用いたメジャメントを行う。また静的にキャリア周波数の種別が決定されている場合は、決定内容を参照し、ハイブリッドアクセスモードで動作するＨｅＮＢ／ＨＮＢが用いることができるＣＳＧセル用のキャリア周波数にて、ハイブリッドセルを検出するために、ｎｏｎ−ＣＳＧセル用のＰＣＩを用いたメジャメントを行う。
ステップＳＴ２４０２にてオープンアクセスモードのセルを検出するために、異周波数にてｎｏｎ−ＣＳＧセル用のＰＣＩを用いたメジャメントを行う。その際、ステップＳＴ２２０１にてコアネットワークから受信したキャリア周波数の種別を用いて、マクロセル用のキャリア周波数（図２３のｆ１）にて、オープンアクセスモードのセルを検出するために、ｎｏｎ−ＣＳＧセル用のＰＣＩを用いたメジャメントを行う。また静的にキャリア周波数の種別が決定されている場合は、決定内容を参照し、マクロセル用のキャリア周波数にて、オープンアクセスモードのセルを検出するために、ｎｏｎ−ＣＳＧセル用のＰＣＩを用いたメジャメントを行う。
ステップＳＴ２４０３にて、クローズドアクセスモード対応のハイブリッドセルを検出するために、異周波数にてｎｏｎ−ＣＳＧセル用のＰＣＩを用いたメジャメントを行う。その際、ステップＳＴ２２０１にてコアネットワークから受信したキャリア周波数の種別を用いて、ハイブリッドアクセスモードで動作するＨｅＮＢ／ＨＮＢが用いることができるＣＳＧセル用のキャリア周波数（図２３のｆ４）にて、ハイブリッドセルを検出するために、ｎｏｎ−ＣＳＧセル用のＰＣＩを用いたメジャメントを行う。また静的にキャリア周波数の種別が決定されている場合は、決定内容を参照し、ハイブリッドアクセスモードで動作するＨｅＮＢ／ＨＮＢが用いることができるＣＳＧセル用のキャリア周波数にて、ハイブリッドセルを検出するために、ｎｏｎ−ＣＳＧセル用のＰＣＩを用いたメジャメントを行う。
ステップＳＴ２４０４にてＣＳＧセルを検出するために、異周波数にてメジャメントを行う。その際、ステップＳＴ２２０１にてコアネットワークから受信したキャリア周波数の種別を用いて、ＣＳＧセル用とハイブリッドアクセスモードで動作するＨｅＮＢ／ＨＮＢが用いることができるＣＳＧセル用のキャリア周波数（図２３のｆ２、ｆ４）にて、ＣＳＧセルを検出するために、ＣＳＧセル用のＰＣＩを用いたメジャメントを行う。また静的にキャリア周波数の種別が決定されている場合は、決定内容を参照し、ＣＳＧセル用とハイブリッドアクセスモードで動作するＨｅＮＢ／ＨＮＢが用いることができるＣＳＧセル用のキャリア周波数にて、ＣＳＧセルを検出するために、ＣＳＧセル用のＰＣＩを用いたメジャメントを行う。
ステップＳＴ２４０５にてハイブリッドセルを検出するために、異周波数にてｎｏｎ−ＣＳＧセル用のＰＣＩを用いたメジャメントを行う。その際、ステップＳＴ２２０１にてコアネットワークから受信したキャリア周波数の種別を用いて、ハイブリッドアクセスモードで動作するＨｅＮＢ／ＨＮＢが用いることができるＣＳＧセル用のキャリア周波数（図２３のｆ４）にて、ハイブリッドセルを検出するために、ｎｏｎ−ＣＳＧセル用のＰＣＩを用いたメジャメントを行う。また静的にキャリア周波数の種別が決定されている場合は、決定内容を参照し、ハイブリッドアクセスモードで動作するＨｅＮＢ／ＨＮＢが用いることができるＣＳＧセル用のキャリア周波数にて、ハイブリッドセルを検出するために、ｎｏｎ−ＣＳＧセル用のＰＣＩを用いたメジャメントを行う。
ステップＳＴ２４０６にてオープンアクセスモードのセルを検出するために、異周波数にてｎｏｎ−ＣＳＧセル用のＰＣＩを用いたメジャメントを行う。その際、ステップＳＴ２２０１にてコアネットワークから受信したキャリア周波数の種別を用いて、マクロセル用のキャリア周波数（図２３のｆ１）にて、オープンアクセスモードのセルを検出するために、ｎｏｎ−ＣＳＧセル用のＰＣＩを用いたメジャメントを行う。また静的にキャリア周波数の種別が決定されている場合は、決定内容を参照し、マクロセル用のキャリア周波数にて、オープンアクセスモードのセルを検出するために、ｎｏｎ−ＣＳＧセル用のＰＣＩを用いたメジャメントを行う。
【００７９】
実施の形態１の変形例２により、実施の形態１、実施の形態１の変形例１に加えて以下の効果を得ることが出来る。移動端末はハイブリッドアクセスモード対応の基地局を見つけるために、周辺セルのメジャメントを行う場合、ハイブリッドアクセスモードで動作するＨｅＮＢ／ＨＮＢが用いることができるＣＳＧセル用のキャリア周波数にて、セルサーチのための周辺セルのメジャメントを行えば良いことになる。つまり、ハイブリッドアクセスモード対応の基地局を見つけるためのサーチ動作を行う際、ハイブリッドアクセスモードで動作するＨｅＮＢ／ＨＮＢのキャリア周波数として用いないＣＳＧセル用のキャリア周波数でのサーチ動作を削減することができる。また、ハイブリッドアクセスモードで動作するＨｅＮＢ／ＨＮＢのキャリア周波数として用いないＣＳＧセル用のキャリア周波数でのｎｏｎ−ＣＳＧセル用のＰＣＩを用いたサーチ動作を削減することができる。これにより、移動端末の処理負荷軽減、消費電力削減という効果を得ることができる。
さらに、現在３ＧＰＰでは、マクロセルに利用可能なセットからハイブリッドセルのためにＰＣＩｓ／ＰＳＣｓの部分集合を予約して、その情報を移動端末に報知することが提案されている。具体例として非特許文献８にはｎｏｎ−ＣＳＧ用のＰＣＩ中にハイブリッドセルが利用するＰＣＩ範囲（以降ハイブリッドセル用のＰＣＩと称する）を予約することが提案されている。ハイブリッドセル用のＰＣＩが新たに設けられた場合、実施の形態１の変形例２により、ハイブリッドアクセスモード対応の基地局を見つけるために、周辺セルのメジャメントを行う場合、ハイブリッドアクセスモードで動作するＨｅＮＢ／ＨＮＢが用いることができるＣＳＧセル用のキャリア周波数のみにてハイブリッドセル用のＰＣＩを用いてセルサーチのための周辺セルのメジャメントを行えば良いことになる。これにより、ハイブリッドアクセスモードで動作するＨｅＮＢ／ＨＮＢが用いることができるＣＳＧセル用のキャリア周波数以外のキャリア周波数でのハイブリッドセル用のＰＣＩを用いたサーチ動作を削減することができる。これにより、移動端末の処理負荷軽減、消費電力削減という効果を得ることができる。
【００８０】
なお、実施の形態１の変形例２は、実施の形態１の変形例１を実行しない場合においても、実施することが可能である。
【００８１】
実施の形態２.
実施の形態２では、実施の形態１と同様の課題について別の解決策を開示する。
ＣＳＧセル用のキャリア周波数を設ける移動体通信システムにおいて、ＨｅＮＢ／ＨＮＢのアクセスモードをハイブリッドアクセスモードとする。また、マクロセル用のキャリア周波数とＣＳＧセル用のキャリア周波数が異なる場合にＨｅＮＢ／ＨＮＢのアクセスモードをハイブリッドアクセスモードとする。
マクロセル圏外に設置された全てのＨｅＮＢ／ＨＮＢをハイブリッドアクセスモードとしても良い。また、マクロセル圏外に設置された一部のＨｅＮＢ／ＨＮＢをハイブリッドアクセスモードとしても良い。一部のＨｅＮＢ／ＨＮＢをハイブリッドアクセスモードとする場合、必要なＨｅＮＢ／ＨＮＢをハイブリッドアクセスモードとしても良い。必要なセルの具体例としては、マクロセル圏外に設置され、該ＨｅＮＢ／ＨＮＢのカバレッジ内の該ＨｅＮＢ／ＨＮＢが属するＣＳＧに未登録の移動端末が移動体通信システムのサービスを受ける必要があるセルなどがある。
該ハイブリッドアクセスモードで動作するＨｅＮＢ／ＨＮＢのキャリア周波数をマクロセル用のキャリア周波数とする。また、該ハイブリッドアクセスモードで動作するＨｅＮＢ／ＨＮＢのキャリア周波数をＣＳＧセル用のキャリア周波数とは異なる周波数としても良い。ＣＳＧセル用のキャリア周波数、マクロセル用のキャリア周波数の説明は実施の形態１と同様であるので、説明を省略する。
【００８２】
図２５に実施の形態２の解決策の概念図を示す。図１５、図１６と同じ参照符号は相当する部分であるので、説明は省略する。
例えばマクロセル圏外に、移動端末１６０１が存在する。マクロセル圏外にＨｅＮＢ／ＨＮＢ１５０９、ＨｅＮＢ／ＨＮＢ１５１１、ＨｅＮＢ／ＨＮＢ１５１３が設置され、クローズドアクセスモードで動作しているとする。また、該移動端末１６０１がＨｅＮＢ／ＨＮＢ１５１１のカバレッジ２５０１内に位置する場合を考える。移動端末１６０１は、ＨｅＮＢ／ＨＮＢ１５１１が属するＣＳＧへ未登録であったとする。一方、移動端末１６０１は移動体通信システムのサービスを受ける必要があるとする。実施の形態２の解決策では、ＨｅＮＢ／ＨＮＢ１５１１のアクセスモードをハイブリッドアクセスモードとする。その結果、ＨｅＮＢ／ＨＮＢ１５１１のカバレッジ２５０１はオープンアクセスモード対応となる、図２５では斜線のハッチングで示す。また、該ＨｅＮＢ／ＨＮＢ１５１１のキャリア周波数は、マクロセル用のキャリア周波数とする。図２５では、ＨｅＮＢ／ＨＮＢ１５１１のキャリア周波数は、ｆ１となる。
【００８３】
ハイブリッドアクセスモードとするセルの選択方法の具体例は、実施の形態１と同様であるので説明を省略する。ハイブリッドアクセスモードの設定を解除するセルの選択方法の具体例としては、実施の形態１と同様であるので説明を省略する。ハイブリッドアクセスモードの設定方法の具体例は、実施の形態１と同様であるので説明を省略する。ＨｅＮＢ／ＨＮＢのキャリア周波数を設定する方法の具体例は、実施の形態１と同様であるので説明を省略する。実施の形態２を適用した場合の、移動端末によるセルサーチのために周辺セルのメジャメント動作を行う具体例は、実施の形態１と同様（図１９）であるので説明を省略する。
【００８４】
実施の形態２により以下の効果を得ることが出来る。クローズドアクセスモードにて動作するＨｅＮＢ／ＨＮＢがＣＳＧセル用のキャリア周波数を用いて動作する場合、マクロセル圏外における該ＨｅＮＢ／ＨＮＢ設置場所において、該ＨｅＮＢ／ＨＮＢが属するＣＳＧへ未登録の移動端末が移動体通信システムのサービスを受けられないという課題を、莫大な費用のかかるマクロセルの設置を行わずに、解決することができる。つまり、マクロセルの設置を行わずに、クローズドアクセスモードにて動作するＨｅＮＢ／ＨＮＢをハイブリッドアクセスモードに設定することにより、マクロセル圏外におけるＨｅＮＢ／ＨＮＢ設置場所において、該ＨｅＮＢ／ＨＮＢが属するＣＳＧへ未登録の移動端末が移動体通信システムのサービスを受けることが可能となる。
【００８５】
実施の形態２  変形例１.
実施の形態２の変形例１にて解決する課題について説明する。実施の形態２の解決策を実行した場合、以下の新たな課題が発生する。キャンプオンしている、あるいは通信中の基地局のキャリア周波数（サービング周波数）以外に複数のキャリア周波数が存在した場合を検討する。この場合、移動端末によるセルサーチのための周辺セルのメジャメント動作において以下の点で無駄な処理が発生する。図１９を用いて具体的に説明する。ステップＳＴ１９０４、ステップＳＴ１９１２のメジャメントでは、移動端末はオープンアクセスモード対応の基地局（マクロセルとハイブリッドセル）を見つけるために、周辺セルのメジャメントを行っている。よって、ステップＳＴ１９０４、ステップＳＴ１９１２において、オープンアクセスモード対応の基地局が存在することがない、つまりクローズドアクセスモードで動作している基地局のみ存在するキャリア周波数（図２５のｆ２）でのサーチ動作自体が無駄な処理となる。ステップＳＴ１９１０のメジャメントでは、移動端末は適切なクローズドアクセス対応のセルを見つけるために、周辺セルのメジャメントを行っている。つまり、移動端末はＣＳＧセル用のキャリア周波数（図２５のｆ２）で動作するＣＳＧセルとマクロセル用のキャリア周波数（図２５のｆ１）で動作するハイブリッドセルを見つけるために周辺セルのメジャメントを行っている。よってステップＳＴ１９１０において、ＣＳＧセル用のキャリア周波数でのｎｏｎ−ＣＳＧセル用のＰＣＩを用いたメジャメント、マクロセル用のキャリア周波数でのＣＳＧセル用のＰＣＩを用いたメジャメントが無駄な処理となる。上記、移動端末における無駄な処理により、移動端末の消費電力が増大するという課題が発生する。
【００８６】
実施の形態２の変形例１における解決策を以下に開示する。移動端末にキャリア周波数の種別を認識させる。
キャリア周波数の種別の具体例は、実施の形態１の変形例１と同様であるので説明を省略する。キャリア周波数を示す情報の具体例は、実施の形態１の変形例１と同様であるので説明を省略する。移動端末にキャリア周波数の種別を認識させる方法の具体例は、実施の形態１の変形例１と同様であるので説明を省略する。コアネットワークから移動端末へ、キャリア周波数の種別を通知する方法の具体例は、実施の形態１の変形例１と同様であるので説明を省略する。
【００８７】
実施の形態２の変形例１を適用した場合の、移動端末によるセルサーチのための周辺セルのメジャメント動作の具体例を、図２６を用いて説明する。図１９、図２２と同じ参照符号は相当する部分であるので、説明は省略する。
ステップＳＴ２６０１にて、オープンアクセスモード対応のセルを検出するために、異周波数にてｎｏｎ−ＣＳＧセル用のＰＣＩを用いたメジャメントを行う。その際、ステップＳＴ２２０１にてコアネットワークから受信したキャリア周波数の種別を用いて、マクロセル用のキャリア周波数（図２５のｆ１）にて、オープンアクセスモード対応のセルを検出するために、ｎｏｎ−ＣＳＧセル用のＰＣＩを用いたメジャメントを行う。オープンアクセスモード対応のセルとは、マクロセル及びハイブリッドセルであっても良い。また静的にキャリア周波数の種別が決定されている場合は、決定内容を参照し、マクロセル用のキャリア周波数にて、オープンアクセスモード対応のセルを検出するために、ｎｏｎ−ＣＳＧセル用のＰＣＩを用いたメジャメントを行う。
ステップＳＴ２６０２にて、適切なＣＳＧセルを検出するために、異周波数にてＣＳＧセル用のＰＣＩを用いたメジャメントを行う。その際、ステップＳＴ２２０１にてコアネットワークから受信したキャリア周波数の種別を用いて、ＣＳＧセル用のキャリア周波数（図２５のｆ２）にて、ＣＳＧセルを検出するために、ＣＳＧセル用のＰＣＩを用いたメジャメントを行う。また静的にキャリア周波数の種別が決定されている場合は、決定内容を参照し、ＣＳＧセル用のキャリア周波数にて、ＣＳＧセルを検出するために、ＣＳＧセル用のＰＣＩを用いたメジャメントを行う。
ステップＳＴ２６０３にて、適切なクローズドアクセスモード対応のハイブリッドセルを検出するために、異周波数にてｎｏｎ−ＣＳＧセル用のＰＣＩを用いたメジャメントを行う。その際、ステップＳＴ２２０１にてコアネットワークから受信したキャリア周波数の種別を用いて、マクロセル用のキャリア周波数（図２５のｆ１）にて、ハイブリッドセルを検出するために、ｎｏｎ−ＣＳＧセル用のＰＣＩを用いたメジャメントを行う。また静的にキャリア周波数の種別が決定されている場合は、決定内容を参照し、マクロセル用のキャリア周波数にて、ハイブリッドセルを検出するために、ｎｏｎ−ＣＳＧセル用のＰＣＩを用いたメジャメントを行う。
ステップＳＴ２６０４にて、オープンアクセスモード対応のセルを検出するために、異周波数にてｎｏｎ−ＣＳＧセル用のＰＣＩを用いたメジャメントを行う。その際、ステップＳＴ２２０１にてコアネットワークから受信したキャリア周波数の種別を用いて、マクロセル用のキャリア周波数（図２５のｆ１）にて、オープンアクセスモード対応のセルを検出するために、ｎｏｎ−ＣＳＧセル用のＰＣＩを用いたメジャメントを行う。オープンアクセスモード対応のセルとは、マクロセル及びハイブリッドセルであっても良い。また静的にキャリア周波数の種別が決定されている場合は、決定内容を参照し、マクロセル用のキャリア周波数にて、オープンアクセスモード対応のセルを検出するために、ｎｏｎ−ＣＳＧセル用のＰＣＩを用いたメジャメントを行う。
【００８８】
実施の形態２の変形例１により、実施の形態２に加えて以下の効果を得ることが出来る。移動端末はオープンアクセスモード対応の基地局を見つけるために、周辺セルのメジャメントを行う場合、マクロセル用のキャリア周波数にてセルサーチのための周辺セルのメジャメントを行えば良いことになる。つまり、オープンアクセスモード対応の基地局を見つけるためのサーチ動作を行う際、クローズドアクセスモードで動作している基地局のみ存在するキャリア周波数でのサーチ動作を削減することができる。これにより、移動端末の処理負荷軽減、消費電力削減という効果を得ることができる。この効果は、ＣＳＧに登録することが不可能な低能力（Capability）の移動端末にとって、より顕著な効果となる。
また、クローズドアクセスモード対応の基地局を見つけるために、ハイブリッドセルが存在しないＣＳＧセル用のキャリア周波数においてｎｏｎ−ＣＳＧセル用のＰＣＩを用いたメジャメントを行うという無駄な処理を削減することができ、ＣＳＧセルが存在しないマクロセル用のキャリア周波数でのＣＳＧセル用のＰＣＩを用いたメジャメントという無駄な処理を削減することができる。これにより、移動端末の処理負荷軽減、消費電力削減という効果を得ることができる。
【００８９】
実施の形態２  変形例２.
実施の形態２の変形例２にて解決する課題について説明する。実施の形態２の変形例１の解決策を実行した場合、以下の新たな課題が発生する。
マクロセル用のキャリア周波数が複数存在し、ハイブリッドアクセスモードで動作するＨｅＮＢ／ＨＮＢのキャリア周波数として用いるマクロセル用のキャリア周波数と、ハイブリッドアクセスモードで動作するＨｅＮＢ／ＨＮＢのキャリア周波数として用いないマクロセル用のキャリア周波数が存在する場合を考える。ハイブリッドアクセスモードで動作するＨｅＮＢ／ＨＮＢのキャリア周波数として用いないマクロセル用のキャリア周波数をマクロセル専用キャリア周波数としてもよい。
図２７に概念図を示す。図１５、図１６と同じ参照符号は相当する部分であるので、説明は省略する。
マクロセル１５０１で用いられる周波数はマクロセル用のキャリア周波数（ｆ１）とする、あるいはマクロセル専用キャリア周波数としても良い。該マクロセル用のキャリア周波数レイヤを１５１５にて示す。マクロセル１５０１とは別にマクロセル２７０１が存在する。マクロセル２７０１のカバレッジは２７０２である。マクロセル２７０１で用いられる周波数はハイブリッドアクセスモードで動作するＨｅＮＢ／ＨＮＢが用いることができるマクロセル用のキャリア周波数（ｆ３）とする。該マクロセル用のキャリア周波数レイヤを２７０３にて示す。ＨｅＮＢ／ＨＮＢ１５０３、ＨｅＮＢ／ＨＮＢ１５０５、ＨｅＮＢ／ＨＮＢ１５０７、ＨｅＮＢ／ＨＮＢ１５０９、ＨｅＮＢ／ＨＮＢ１５１３で用いられる周波数はＣＳＧセル用のキャリア周波数（ｆ２）とする。該ＣＳＧセル用のキャリア周波数レイヤを１５１６にて示す。ＨｅＮＢ／ＨＮＢ１５１１で用いられる周波数はハイブリッドアクセスモードで動作するＨｅＮＢ／ＨＮＢが用いることができるマクロセル用のキャリア周波数（ｆ３）とする。つまり、ｆ３は、ハイブリッドアクセスモードのセルとオープンモードのセルが用いるキャリア周波数である。ＨｅＮＢ／ＨＮＢ１５１１のカバレッジは２７０４である。
言い換えると、ｆ１はハイブリッドアクセスモードで動作するＨｅＮＢ／ＨＮＢのキャリア周波数として用いないマクロセル用のキャリア周波数であり、ｆ３はハイブリッドアクセスモードで動作するＨｅＮＢ／ＨＮＢが用いることができるマクロセル用のキャリア周波数である。
例えば図２７の場合、移動端末のセルサーチのための周辺セルのメジャメント動作において以下の点において無駄な処理が発生する。図２６を用いて具体的に説明する。ステップＳＴ２６０３において、移動端末はクローズドアクセスモード対応の基地局、つまりハイブリッドセルをみつけるために、周辺セルのメジャメントを行っている。よってステップＳＴ２６０３において、ハイブリッドセルの基地局が存在しない、すなわちハイブリッドアクセスモードで動作するＨｅＮＢ／ＨＮＢのキャリア周波数として用いない、マクロセル用のキャリア周波数において、ｎｏｎ−ＣＳＧセル用のＰＣＩを用いたサーチ動作を行うこと自体が無駄な処理となる。上記、移動端末における無駄な処理により、移動端末の消費電力が増大するという課題が発生する。
【００９０】
実施の形態１の変形例２における解決策を以下に開示する。移動端末にキャリア周波数の種別を認識させる。
キャリア周波数の種別の具体例を以下３つ開示する。（１）ハイブリッドアクセスモードで動作するＨｅＮＢ／ＨＮＢが用いることができるマクロセル用のキャリア周波数、（２）ハイブリッドアクセスモードで動作するＨｅＮＢ／ＨＮＢが用いることができるマクロセル用のキャリア周波数とＣＳＧセル用のキャリア周波数とマクロセル用のキャリア周波数、（３）キャリア周波数を、ハイブリッドアクセスモードで動作するＨｅＮＢ／ＨＮＢが用いることができるマクロセル用のキャリア周波数として用いるか、ＣＳＧセル用のキャリア周波数として用いるか、マクロセル用のキャリア周波数として用いるかの種別。
キャリア周波数を示す情報の具体例は、実施の形態１の変形例１と同様であるので説明を省略する。移動端末にキャリア周波数の種別を認識させる方法の具体例は、実施の形態１の変形例１と同様であるので説明を省略する。コアネットワークから移動端末へ、キャリア周波数の種別を通知する方法の具体例は、実施の形態１の変形例１と同様であるので説明を省略する。
【００９１】
実施の形態２の変形例２を適用した場合の、移動端末によるセルサーチのための周辺セルのメジャメント動作の具体例を、図２８を用いて説明する。図１９、図２２、図２６と同じ参照符号は相当する部分であるので、説明は省略する。
ステップＳＴ２８０１にて、オープンアクセスモード対応のセルを検出するために、異周波数にてｎｏｎ−ＣＳＧセル用のＰＣＩを用いたメジャメントを行う。その際、ステップＳＴ２２０１にてコアネットワークから受信したキャリア周波数の種別を用いて、マクロセル用のキャリア周波数（図２７のｆ１）と、ハイブリッドアクセスモードで動作するＨｅＮＢ／ＨＮＢが用いることができるマクロセル用のキャリア周波数（図２７のｆ３）にて、オープンアクセスモード対応のセルを検出するために、ｎｏｎ−ＣＳＧセル用のＰＣＩを用いたメジャメントを行う。オープンアクセスモード対応のセルとは、マクロセル及びハイブリッドセルであっても良い。また静的にキャリア周波数の種別が決定されている場合は、決定内容を参照し、マクロセル用のキャリア周波数と、ハイブリッドアクセスモードで動作するＨｅＮＢ／ＨＮＢが用いることができるマクロセル用のキャリア周波数にて、オープンアクセスモード対応のセルを検出するために、ｎｏｎ−ＣＳＧセル用のＰＣＩを用いたメジャメントを行う。
ステップＳＴ２８０２にてハイブリッドセルを検出するために、異周波数にてｎｏｎ−ＣＳＧセル用のＰＣＩを用いたメジャメントを行う。その際、ステップＳＴ２２０１にてコアネットワークから受信したキャリア周波数の種別を用いて、ハイブリッドアクセスモードで動作するＨｅＮＢ／ＨＮＢが用いることができるマクロセル用のキャリア周波数（図２７のｆ３）にて、ハイブリッドセルを検出するために、ｎｏｎ−ＣＳＧセル用のＰＣＩを用いたメジャメントを行う。また静的にキャリア周波数の種別が決定されている場合は、決定内容を参照し、ハイブリッドアクセスモードで動作するＨｅＮＢ／ＨＮＢが用いることができるマクロセル用のキャリア周波数にて、ハイブリッドセルを検出するために、ｎｏｎ−ＣＳＧセル用のＰＣＩを用いたメジャメントを行う。
ステップＳＴ２８０３にて、オープンアクセスモード対応のセルを検出するために、異周波数にてｎｏｎ−ＣＳＧセル用のＰＣＩを用いたメジャメントを行う。その際、ステップＳＴ２２０１にてコアネットワークから受信したキャリア周波数の種別を用いて、マクロセル用のキャリア周波数（図２７のｆ１）と、ハイブリッドアクセスモードで動作するＨｅＮＢ／ＨＮＢが用いることができるマクロセル用のキャリア周波数（図２７のｆ３）にて、オープンアクセスモード対応のセルを検出するために、ｎｏｎ−ＣＳＧセル用のＰＣＩを用いたメジャメントを行う。オープンアクセスモード対応のセルとは、マクロセル及びハイブリッドセルであっても良い。また静的にキャリア周波数の種別が決定されている場合は、決定内容を参照し、マクロセル用のキャリア周波数と、ハイブリッドアクセスモードで動作するＨｅＮＢ／ＨＮＢが用いることができるマクロセル用のキャリア周波数にて、オープンアクセスモード対応のセルを検出するために、ｎｏｎ−ＣＳＧセル用のＰＣＩを用いたメジャメントを行う。
【００９２】
実施の形態２の変形例２により、実施の形態２、実施の形態２の変形例１に加えて以下の効果を得ることが出来る。移動端末はハイブリッドアクセスモード対応の基地局を見つけるために、周辺セルのメジャメントを行う場合、ハイブリッドアクセスモードで動作するＨｅＮＢ／ＨＮＢが用いることができるマクロセル用のキャリア周波数にてセルサーチのための周辺セルのメジャメントを行えば良いことになる。つまり、ハイブリッドアクセスモード対応の基地局を見つけるためのサーチ動作を行う際、ハイブリッドアクセスモードで動作するＨｅＮＢ／ＨＮＢのキャリア周波数として用いないマクロセル用のキャリア周波数でのサーチ動作を削減することができる。これにより、移動端末の処理負荷軽減、消費電力削減という効果を得ることができる。
さらに、現在３ＧＰＰでは、マクロセルに利用可能なセットからハイブリッドセルのためにＰＣＩｓ／ＰＳＣｓの部分集合を予約して、その情報をUEに報知することが提案されている。具体例として非特許文献８にはｎｏｎ−ＣＳＧ用のＰＣＩ中にハイブリッドセルが利用するＰＣＩ範囲（以降ハイブリッドセル用のＰＣＩと称する）を予約することが提案されている。ハイブリッドセル用のＰＣＩが新たに設けられた場合、実施の形態２の変形例２により、ハイブリッドアクセスモード対応の基地局を見つけるために、周辺セルのメジャメントを行う場合、ハイブリッドアクセスモードで動作するＨｅＮＢ／ＨＮＢが用いることができるマクロセル用のキャリア周波数のみにてハイブリッドセル用のＰＣＩを用いてセルサーチのための周辺セルのメジャメントを行えば良いことになる。これにより、ハイブリッドセル用のキャリア周波数以外のキャリア周波数において行われる、ハイブリッドセル用のＰＣＩを用いたサーチ動作を削減することができる。これにより、移動端末の処理負荷軽減、消費電力削減という効果を得ることができる。
【００９３】
なお、実施の形態２の変形例２は、実施の形態２の変形例１を実行しない場合においても、実施することが可能である。
【００９４】
実施の形態３.
実施の形態３にて解決する課題について説明する。実施の形態２、実施の形態２の変形例１、実施の形態２の変形例２の解決策を実行した場合、以下の新たな課題が発生する。
同じＣＳＧ−ＩＤを伴うＣＳＧに属するセルが、異なる周波数を用いる可能性がある。図２５を用いて具体的に説明する。ＨｅＮＢ／ＨＮＢ１５０３、ＨｅＮＢ／ＨＮＢ１５０５、ＨｅＮＢ／ＨＮＢ１５１１が同じＣＳＧに属すると考える。実施の形態２を実施した場合、ＨｅＮＢ／ＨＮＢ１５１１は、マクロセル圏外に設置され、該ＨｅＮＢ／ＨＮＢが属するＣＳＧに未登録の移動端末が移動体通信システムのサービスを受ける必要あるとして、ハイブリッドアクセスモードとして動作しているとする。その場合、実施の形態２を実行して、ハイブリッドアクセスモードで動作するＨｅＮＢ／ＨＮＢ１５１１のキャリア周波数をマクロセル用のキャリア周波数とする。一方、ＨｅＮＢ／ＨＮＢ１５０３、ＨｅＮＢ／ＨＮＢ１５０５は、マクロセル圏内に設置されており、クローズドアクセスモードとして動作している。よって、従来通りＨｅＮＢ／ＨＮＢ１５０３、ＨｅＮＢ／ＨＮＢ１５０５のキャリア周波数はＣＳＧセル用のキャリア周波数とする。
また同じＣＳＧ−ＩＤのセルは同じオーナが所有する、あるいは同じＣＳＧ−ＩＤのセルからは同じ課金優遇が受けられる、あるいは同じＣＳＧ−ＩＤのセルからは通信速度で同じ優遇が受けられるなどのサービスが考えられる。これにより、ユーザがセル再選択先、ハンドオーバ先として同じＣＳＧ−ＩＤを有するセルの選択を望むことが考えられる。また、ユーザが唯一つのＣＳＧ−ＩＤに登録している場合も同様に同じＣＳＧ−ＩＤを有するセルの選択を望むことが考えられる。
上記のように、同じＣＳＧ−ＩＤを有するセルの選択を実現しようとすれば、実施の形態２を実行した際、ハイブリッドセルの検出のためにマクロセル用のキャリア周波数（図２５のｆ１）を用いる必要があり、ＣＳＧセルの検出のためにＣＳＧセル用のキャリア周波数（図２５のｆ２）を用いる必要がある。
このように、同じＣＳＧ−ＩＤを引き続き用いたいという要求を実現する上で、移動端末のサーチ動作における処理負荷が増大、消費電力が増大するという課題が発生する。
【００９５】
実施の形態３における解決策を以下に開示する。ＣＳＧセル用のキャリア周波数を設ける移動体通信システムにおいて、ＨｅＮＢ／ＨＮＢのアクセスモードをハイブリッドアクセスモードとする。また、マクロセル用のキャリア周波数とＣＳＧセル用のキャリア周波数が異なる場合に、ＨｅＮＢ／ＨＮＢのアクセスモードをハイブリッドアクセスモードとする。
マクロセル圏外に設置された全てのＨｅＮＢ／ＨＮＢをハイブリッドアクセスモードとしても良い。また、マクロセル圏外に設置された一部のＨｅＮＢ／ＨＮＢをハイブリッドアクセスモードとしても良い。一部のＨｅＮＢ／ＨＮＢをハイブリッドアクセスモードとする場合、必要なＨｅＮＢ／ＨＮＢをハイブリッドアクセスモードとしても良い。必要なセルの具体例としては、マクロセル圏外に設置され、該ＨｅＮＢ／ＨＮＢのカバレッジ内の該ＨｅＮＢ／ＨＮＢが属するＣＳＧに未登録の移動端末が移動体通信システムのサービスを受ける必要があるセルなどがある。
実施の形態３では、該ハイブリッドアクセスモードで動作するＨｅＮＢ／ＨＮＢが属するＣＳＧと同じＣＳＧに属するセルのアクセスモードをハイブリッドアクセスモードとする。また、該ハイブリッドアクセスモードで動作するＨｅＮＢ／ＨＮＢが属するＣＳＧと同じＣＳＧに属するセルがマクロセル圏内に設置されていたとしても、アクセスモードをハイブリッドアクセスモードとしても良い。
該ハイブリッドアクセスモードで動作するＨｅＮＢ／ＨＮＢのキャリア周波数をマクロセル用のキャリア周波数とする。また、該ハイブリッドアクセスモードで動作するＨｅＮＢ／ＨＮＢのキャリア周波数をＣＳＧセル用のキャリア周波数とは異なる周波数としても良い。
【００９６】
図２９に実施の形態３の解決策の概念図を示す。図１５、図１６と同じ参照符号は相当する部分であるので、説明は省略する。
例えばマクロセル圏外に、移動端末１６０１が存在する。マクロセル圏外にＨｅＮＢ／ＨＮＢ１５０９、ＨｅＮＢ／ＨＮＢ１５１１、ＨｅＮＢ／ＨＮＢ１５１３が設置され、クローズドアクセスモードで動作しているとする。移動端末１６０１は、ＨｅＮＢ／ＨＮＢ１５１１が属するＣＳＧへ未登録であったとする。一方、移動端末１６０１は移動体通信システムのサービスを受ける必要があるとする。また、該移動端末１６０１がＨｅＮＢ／ＨＮＢ１５１１のカバレッジ２９０１内に位置する場合を考える。実施の形態３の解決策では、ＨｅＮＢ／ＨＮＢ１５１１のアクセスモードをハイブリッドアクセスモードとする。その結果、ＨｅＮＢ／ＨＮＢ１５１１のカバレッジ２９０１はオープンアクセスモード対応となる、図２９では斜線のハッチングで示す。ＨｅＮＢ／ＨＮＢ１５１１の属するＣＳＧに属するセルとして、ＨｅＮＢ／ＨＮＢ１５０３、ＨｅＮＢ／ＨＮＢ１５０５が存在したとする。その場合、実施の形態３の解決策では、ＨｅＮＢ／ＨＮＢ１５０３、ＨｅＮＢ／ＨＮＢ１５０５のアクセスモードをもハイブリッドアクセスモードとする。その結果、ＨｅＮＢ／ＨＮＢ１５０３のカバレッジ２９０２、ＨｅＮＢ／ＨＮＢ１５０５のカバレッジ２９０３はオープンアクセスモード対応となる、図２９では斜線のハッチングで示す。
また、該ＨｅＮＢ／ＨＮＢ１５０３、ＨｅＮＢ／ＨＮＢ１５０５、ＨｅＮＢ／ＨＮＢ１５１１のキャリア周波数は、マクロセル用のキャリア周波数とする。図２９では、該キャリア周波数は、ｆ１となる。
【００９７】
ハイブリッドアクセスモードとするセルの選択方法の具体例は、実施の形態１と同様であるので説明を省略する。ハイブリッドアクセスモードの設定を解除するセルの選択方法の具体例としては、実施の形態１と同様であるので説明を省略する。ハイブリッドアクセスモードの設定方法の具体例は、実施の形態１と同様であるので説明を省略する。ＨｅＮＢ／ＨＮＢのキャリア周波数を設定する方法の具体例は、実施の形態１と同様であるので説明を省略する。
マクロセル圏外に設置されたＨｅＮＢ／ＨＮＢのうち、必要なＨｅＮＢ／ＨＮＢと同じＣＳＧに属するセル（以降、必要はＨｅＮＢ／ＨＮＢと同じＣＳＧ−ＩＤを有するセルと称する。）の選択方法の具体例を２つ開示する。（１）コアネットワークが必要なＨｅＮＢ／ＨＮＢと同じＣＳＧ−ＩＤを有するセルを検索する。必要なＨｅＮＢ／ＨＮＢと同じＣＳＧ−ＩＤを有するセルにハイブリッドアクセスモードの設定の指示を行う際は、Ｓ１インタフェースを用いても良い。（２）マクロセル圏外に設置されたＨｅＮＢ／ＨＮＢのうち、ハイブリッドアクセスモードに設定されたＨｅＮＢ／ＨＮＢが同じＣＳＧ−ＩＤに属するセルを検索する。必要なＨｅＮＢ／ＨＮＢと同じＣＳＧ−ＩＤを有するセルにハイブリッドアクセスモードの設定の指示を行う際は、Ｘ１インタフェースを用いても良いし、Ｓ１インタフェースを用いても良い。
実施の形態３を適用した場合の、移動端末によるセルサーチのための周辺セルのメジャメント動作の具体例は、実施の形態１と同様（図１９）であるので説明を省略する。また、実施の形態２の変形例１を適用することができ、同様の効果を得ることが出来る。また、実施の形態２の変形例２を適用することができ、同様の効果を得ることが出来る。
実施の形態３は、後述の実施の形態４や実施の形態５とも組合せて用いることができる。
【００９８】
実施の形態３により実施の形態２、実施の形態２の変形例１、実施の形態２の変形例２に加えて以下の効果を得ることが出来る。同じＣＳＧ−ＩＤを有するセルの選択のために単一のキャリア周波数を用いてサーチ動作を実行するのみで良くなる。同じＣＳＧ−ＩＤを有するセルを選択するためのサーチ動作の際に、キャリア周波数の変更が不要となる。よって同じＣＳＧ−ＩＤを有するセルを選択するために要する、制御時間の短縮化が可能となる。これにより、移動端末の処理負荷軽減、消費電力削減という効果を得ることができる。
【００９９】
実施の形態４.
実施の形態４では、実施の形態１と同様の課題について別の解決策を開示する。ＣＳＧセル用のキャリア周波数を設ける移動体通信システムにおいて、ＨｅＮＢ／ＨＮＢのアクセスモードをハイブリッドアクセスモードとする。また、マクロセル用のキャリア周波数とＣＳＧセル用のキャリア周波数が異なる場合に、ＨｅＮＢ／ＨＮＢのアクセスモードをハイブリッドアクセスモードとする。
マクロセル圏外に設置された全てのＨｅＮＢ／ＨＮＢをハイブリッドアクセスモードとしても良い。また、マクロセル圏外に設置された一部のＨｅＮＢ／ＨＮＢをハイブリッドアクセスモードとしても良い。一部のＨｅＮＢ／ＨＮＢをハイブリッドアクセスモードとする場合、必要なＨｅＮＢ／ＨＮＢをハイブリッドアクセスモードとしても良い。必要なセルの具体例としては、マクロセル圏外に設置され、該ＨｅＮＢ／ＨＮＢのカバレッジ内の該ＨｅＮＢ／ＨＮＢが属するＣＳＧに未登録の移動端末が移動体通信システムのサービスを受ける必要があるセルなどがある。
該ハイブリッドアクセスモードで動作するＨｅＮＢ／ＨＮＢのキャリア周波数を、オープンアクセスモードではマクロセル用のキャリア周波数とし、クローズドアクセスモードではＣＳＧセル用のキャリア周波数とする。また、１つのＨｅＮＢ／ＨＮＢにて複数のキャリア周波数を用いるとしても良い。また１つのＨｅＮＢ／ＨＮＢにて複数アクセスモード用のキャリア周波数を用いるとしても良い。ＣＳＧセル用のキャリア周波数、マクロセル用のキャリア周波数の説明は実施の形態１と同様であるので、説明を省略する。
【０１００】
図３０に実施の形態４の解決策の概念図を示す。図１５、図１６と同じ参照符号は相当する部分であるので、説明は省略する。
例えばマクロセル圏外に、移動端末１６０１が存在する。マクロセル圏外にＨｅＮＢ／ＨＮＢ１５０９、ＨｅＮＢ／ＨＮＢ１５１１、ＨｅＮＢ／ＨＮＢ１５１３が設置され、クローズドアクセスモードで動作しているとする。移動端末１６０１は、ＨｅＮＢ／ＨＮＢ１５１１が属するＣＳＧへ未登録であったとする。一方、移動端末１６０１は移動体通信システムのサービスを受ける必要があるとする。また、該移動端末１６０１がＨｅＮＢ／ＨＮＢ１５１１のカバレッジ３００２内に位置する場合を考える。実施の形態４の解決策では、ＨｅＮＢ／ＨＮＢ１５１１のアクセスモードをハイブリッドアクセスモードとする。その結果、ＨｅＮＢ／ＨＮＢ１５１１のカバレッジ３００２はオープンアクセスモード対応となる。また、実施の形態４の解決策では、該ＨｅＮＢ／ＨＮＢ１５１１のキャリア周波数は、オープンアクセスモードではマクロセル用のキャリア周波数とし、クローズドアクセスモードではＣＳＧセル用のキャリア周波数とする。ＨｅＮＢ／ＨＮＢ１５１１のクローズドアクセスモードのカバレッジは、３００１となる。ＨｅＮＢ／ＨＮＢ１５１１のオープンアクセスモードのカバレッジは、３００２となる。図３０では斜線のハッチングで示す。図３０では、ＨｅＮＢ／ＨＮＢ１５１１のキャリア周波数は、ｆ１とｆ２となる。
【０１０１】
ハイブリッドアクセスモードとするセルの選択方法の具体例は、実施の形態１と同様であるので説明を省略する。ハイブリッドアクセスモードの設定を解除するセルの選択方法の具体例としては、実施の形態１と同様であるので説明を省略する。ハイブリッドアクセスモードの設定方法の具体例は、実施の形態１と同様であるので説明を省略する。ＨｅＮＢ／ＨＮＢのキャリア周波数を設定する方法の具体例は、実施の形態１と同様であるので説明を省略する。実施の形態４を適用した場合の、移動端末によるセルサーチのための周辺セルのメジャメント動作を行う具体例は、実施の形態１と同様（図１９）であるので説明を省略する。
【０１０２】
実施の形態４により以下の効果を得ることが出来る。クローズドアクセスモードにて動作するＨｅＮＢ／ＨＮＢがＣＳＧセル用のキャリア周波数を用いて動作する場合、マクロセル圏外における該ＨｅＮＢ／ＨＮＢ設置場所において、該ＨｅＮＢ／ＨＮＢが属するＣＳＧへ未登録の移動端末が移動体通信システムのサービスを受けられないという課題を、莫大なコストのかかるマクロセルの設置を行わずに、解決することができる。つまり、マクロセルの設置を行わずに、クローズドアクセスモードにて動作するＨｅＮＢ／ＨＮＢをハイブリッドアクセスモードに設定することにより、マクロセル圏外における該ＨｅＮＢ／ＨＮＢ設置場所において、該ＨｅＮＢ／ＨＮＢが属するＣＳＧへ未登録の移動端末が移動体通信システムのサービスを受けることが可能となる。
【０１０３】
実施の形態４  変形例１.
実施の形態４の変形例１にて解決する課題について説明する。実施の形態４の解決策を実行した場合、以下の新たな課題が発生する。キャンプオンしている、あるいは通信中の基地局のキャリア周波数（サービング周波数）以外に複数のキャリア周波数が存在した場合を検討する。この場合、移動端末によるセルサーチのための周辺セルのメジャメント動作において以下の無駄な処理が発生する。図１９を用いて具体的に説明する。ステップＳＴ１９１０のメジャメントでは、移動端末はＣＳＧ登録を行っている。つまり、ステップＳＴ１９１０において、移動端末はクローズドアクセスモード対応（ＣＳＧセルとハイブリッドセル）の基地局を見つけるために、周辺セルのメジャメントを行っている。よって、ステップＳＴ１９１０において、クローズドアクセスモード対応の基地局が存在することがない、つまりオープンアクセスモードで動作している基地局のみ存在するキャリア周波数（図３０のｆ１）においてサーチ動作を行うこと自体が無駄な処理となる。
また、ステップＳＴ１９０４、ステップＳＴ１９１２のメジャメントでは、移動端末はオープンアクセスモード対応の基地局（マクロセルとハイブリッドセル）を見つけるために、周辺セルのメジャメントを行っている。よって、ステップＳＴ１９０４、ステップＳＴ１９１２において、オープンアクセスモード対応の基地局が存在することがない、つまりクローズドアクセスモードで動作している基地局のみ存在するキャリア周波数（図３０のｆ２）においてサーチ動作を行うこと自体が無駄な処理となる。
上記、移動端末における無駄な処理により、移動端末の消費電力が増大するという課題が発生する。
【０１０４】
実施の形態４の変形例１における解決策を以下に開示する。移動端末にキャリア周波数の種別を認識させる。
キャリア周波数の種別の具体例は、実施の形態１の変形例１と同様であるので説明を省略する。キャリア周波数を示す情報の具体例は、実施の形態１の変形例１と同様であるので説明を省略する。移動端末にキャリア周波数の種別を認識させる方法の具体例は、実施の形態１の変形例１と同様であるので説明を省略する。コアネットワークから移動端末へ、キャリア周波数の種別を通知する方法の具体例は、実施の形態１の変形例１と同様であるので説明を省略する。
【０１０５】
実施の形態４の変形例１を適用した場合の、移動端末によるセルサーチのための周辺セルのメジャメント動作の具体例を、図３１を用いて説明する。図１９、図２２と同じ参照符号は相当する部分であるので、説明は省略する。
ステップＳＴ３１０１にて、オープンアクセスモード対応のセルを検出するために、異周波数にてｎｏｎ−ＣＳＧセル用のＰＣＩを用いたメジャメントを行う。その際、ステップＳＴ２２０１にてコアネットワークから受信したキャリア周波数の種別を用いて、マクロセル用のキャリア周波数（図３０のｆ１）にて、オープンアクセスモード対応のセルを検出するために、ｎｏｎ−ＣＳＧセル用のＰＣＩを用いたメジャメントを行う。オープンアクセスモード対応のセルとは、マクロセル及びハイブリッドセルであっても良い。また静的にキャリア周波数の種別が決定されている場合は、決定内容を参照し、マクロセル用のキャリア周波数にて、オープンアクセスモード対応のセルを検出するために、ｎｏｎ−ＣＳＧセル用のＰＣＩを用いたメジャメントを行う。
ステップＳＴ３１０２にて適切なクローズドアクセスモード対応のセルを検出するために、異周波数にてＣＳＧセルとハイブリッドセルを検出するために全ＰＣＩを用いてメジャメントを行う。その際、ステップＳＴ２２０１にてコアネットワークから受信したキャリア周波数の種別を用いて、ＣＳＧセル用のキャリア周波数（図３０のｆ２）にて、ＣＳＧセルとハイブリッドセルを検出するために全ＰＣＩを用いてメジャメントを行う。また静的にキャリア周波数の種別が決定されている場合は、決定内容を参照し、ＣＳＧセル用のキャリア周波数にて、ＣＳＧセルを検出するために、ＣＳＧセルとハイブリッドセルを検出するために全ＰＣＩを用いてメジャメントを行う。
ステップＳＴ３１０３にて、オープンアクセスモード対応のセルを検出するために、異周波数にてｎｏｎ−ＣＳＧセル用のＰＣＩを用いたメジャメントを行う。その際、ステップＳＴ２２０１にてコアネットワークから受信したキャリア周波数の種別を用いて、マクロセル用のキャリア周波数（図３０のｆ１）にて、オープンアクセスモード対応のセルを検出するために、ｎｏｎ−ＣＳＧセル用のＰＣＩを用いたメジャメントを行う。オープンアクセスモード対応のセルとは、マクロセル及びハイブリッドセルであっても良い。また静的にキャリア周波数の種別が決定されている場合は、決定内容を参照し、マクロセル用のキャリア周波数にて、オープンアクセスモード対応のセルを検出するために、ｎｏｎ−ＣＳＧセル用のＰＣＩを用いたメジャメントを行う。
【０１０６】
実施の形態４の変形例１により、実施の形態４に加えて以下の効果を得ることが出来る。移動端末はオープンアクセスモード対応の基地局を見つけるために、周辺セルのメジャメントを行う場合、マクロセル用のキャリア周波数にてセルサーチのための周辺セルのメジャメントを行えば良いことになる。つまり、オープンアクセスモード対応の基地局を見つけるためにサーチ動作を行う際、クローズドアクセスモードで動作している基地局のみ存在するキャリア周波数でのサーチ動作を削減することができる。これにより、移動端末の処理負荷軽減、消費電力削減という効果を得ることができる。この効果は、ＣＳＧに登録することが不可能な低能力（Capability）の移動端末にとって、より顕著な効果となる。
また、クローズドアクセスモード対応の基地局を見つけるために、周辺セルのメジャメントを行う場合、ＣＳＧセル用のキャリア周波数にてセルサーチのための周辺セルのメジャメントを行えば良いことになる。つまり、クローズドアクセスモード対応の基地局を見つけるためにサーチ動作を行う際、オープンアクセスモードで動作している基地局のみ存在するキャリア周波数でのサーチ動作を削減することができる。これにより、移動端末の処理負荷軽減、消費電力削減という効果を得ることができる。
これらの効果は、実施の形態２、実施の形態２の変形例１、実施の形態２の変形例２、実施の形態３、実施の形態３の変形例１、実施の形態３の変形例２と比較して、より顕著な効果となる。実施の形態２、実施の形態２の変形例１、実施の形態２の変形例２、実施の形態３、実施の形態３の変形例１、実施の形態３の変形例２では、適切なクローズドアクセスモード対応のセルを検出するために、移動端末は異なる複数の種別に属する周波数を用いてサーチを行う必要がある。つまり、変形例を含む実施の形態２、変形例を含む実施の形態３では、ＣＳＧ登録済みの移動端末が適切なＣＳＧセルを検出するために、ＣＳＧセル用のキャリア周波数とマクロセル用のキャリア周波数の複数の周波数を用いてサーチを行う必要がある。キャリア周波数を変更してのサーチ動作は、移動端末にとって処理負荷が高い。また、ＣＳＧ登録済みの移動端末は、サービングセルの受信品質が良好であっても、あるいは現在キャンプオンしている基地局のキャリア周波数の再選択優先度が高い場合であっても、適切なＣＳＧセルを検出するための異周波数のサーチ動作を行う必要がある。よって、本実施の形態を実施することで、適切なクローズドアクセスモード対応のセルを検出するための、対象のキャリア周波数を削減可能となることは、移動端末の処理負荷軽減に大きな効果がある。
【０１０７】
実施の形態４  変形例２.
実施の形態４の変形例２にて解決する課題について説明する。実施の形態４の変形例１の解決策を実行した場合、以下の新たな課題が発生する。
図３２に概念図を示す。図１５、図１６、図３０と同じ参照符号は相当する部分であるので、説明は省略する。
マクロセル１５０１で用いられる周波数はマクロセル用のキャリア周波数（ｆ１）とする。マクロセル用のキャリア周波数レイヤを１５１５にて示す。ＨｅＮＢ／ＨＮＢ１５０３、ＨｅＮＢ／ＨＮＢ１５０５、ＨｅＮＢ／ＨＮＢ１５０７で用いられる周波数はＣＳＧセル用のキャリア周波数（ｆ２）とする。また、ハイブリッドアクセスモードで動作するＨｅＮＢ／ＨＮＢのクローズドアクセスモード用のキャリア周波数として用いないＣＳＧセル用のキャリア周波数としてもよいし、あるいはＣＳＧセル専用のキャリア周波数としても良い。該ＣＳＧセル用のキャリア周波数レイヤを１５１６にて示す。ＨｅＮＢ／ＨＮＢ１５０９、ハイブリッドアクセスモードで動作するＨｅＮＢ／ＨＮＢ１５１１のクローズドアクセスモードにて、ＨｅＮＢ／ＨＮＢ１５１３で用いられる周波数はＣＳＧセル用のキャリア周波数（ｆ４）とする。ｆ４は、ハイブリッドアクセスモードで動作するＨｅＮＢ／ＨＮＢのクローズドアクセスモードが用いることができるＣＳＧセル用のキャリア周波数とする。ハイブリッドアクセスモードで動作するＨｅＮＢ／ＨＮＢのクローズドアクセスモードが用いることができるＣＳＧセル用のキャリア周波数レイヤを３２０１にて示す。
言い換えると、ｆ２はハイブリッドアクセスモードで動作するＨｅＮＢ／ＨＮＢのクローズドアクセスモード用のキャリア周波数として用いないＣＳＧセル用のキャリア周波数であり、ｆ４はハイブリッドアクセスモードで動作するＨｅＮＢ／ＨＮＢのクローズドアクセスモードが用いることができるＣＳＧセル用のキャリア周波数である。ＨｅＮＢ／ＨＮＢ１５１１のクローズドアクセスモードのカバレッジは、３００１となる。ＨｅＮＢ／ＨＮＢ１５１１のオープンアクセスモードのカバレッジは、３００２となる。図３０では斜線のハッチングで示す。
【０１０８】
例えば図３２の場合、移動端末によるセルサーチのための周辺セルのメジャメント動作において以下の無駄な処理が発生する。図３１を用いて具体的に説明する。
ステップＳＴ３１０２において、移動端末はクローズドモード対応のセル、つまりＣＳＧセルかハイブリッドセルを見つけるために、周辺セルのメジャメントを行っている。よってステップＳＴ３１０２において、ハイブリッドセルの基地局が存在しない、すなわちハイブリッドアクセスモードで動作するＨｅＮＢ／ＨＮＢのクローズドアクセスモード用のキャリア周波数として用いない、ＣＳＧセル用のキャリア周波数（図３２のｆ２）においてｎｏｎ−ＣＳＧセル用のＰＣＩを用いてサーチ動作を行うこと自体が無駄な処理となる。上記、移動端末における無駄な処理により、移動端末の消費電力が増大するという課題が発生する。
【０１０９】
実施の形態４の変形例２における解決策を以下に開示する。移動端末にキャリア周波数の種別を認識させる。
キャリア周波数の種別の具体例を以下３つ開示する。（１）ハイブリッドアクセスモードで動作するＨｅＮＢ／ＨＮＢのクローズドアクセスモードが用いることができるＣＳＧセル用のキャリア周波数、（２）ハイブリッドアクセスモードで動作するＨｅＮＢ／ＨＮＢのクローズドアクセスモードが用いることができるＣＳＧセル用のキャリア周波数とＣＳＧセル用のキャリア周波数とマクロセル用のキャリア周波数、（３）キャリア周波数を、ハイブリッドアクセスモードで動作するＨｅＮＢ／ＨＮＢのクローズドアクセスモードが用いることができるＣＳＧセル用のキャリア周波数として用いるか、ＣＳＧセル用のキャリア周波数として用いるか、マクロセル用のキャリア周波数として用いるかの種別。
キャリア周波数を示す情報の具体例は、実施の形態１の変形例１と同様であるので説明を省略する。移動端末にキャリア周波数の種別を認識させる方法の具体例は、実施の形態１の変形例１と同様であるので説明を省略する。コアネットワークから移動端末へ、キャリア周波数の種別を通知する方法の具体例は、実施の形態１の変形例１と同様であるので説明を省略する。
【０１１０】
実施の形態４の変形例２を適用した場合の、移動端末によるセルサーチのための周辺セルのメジャメント動作の具体例を、図３３を用いて説明する。図１９、図２２と同じ参照符号は相当する部分であるので、説明は省略する。
ステップＳＴ３３０１にて適切なＣＳＧセルを検出するために、異周波数にてＣＳＧセル用のＰＣＩを用いたメジャメントを行う。その際、ステップＳＴ２２０１にてコアネットワークから受信したキャリア周波数の種別を用いて、ハイブリッドアクセスモードで動作するＨｅＮＢ／ＨＮＢのクローズドアクセスモードが用いることができるＣＳＧセル用のキャリア周波数（図３２のｆ４）とハイブリッドアクセスモードで動作するＨｅＮＢ／ＨＮＢのクローズドアクセスモード用のキャリア周波数として用いないＣＳＧセル用のキャリア周波数（図３２のｆ２）にて、ＣＳＧセルを検出するために、ＣＳＧセル用のＰＣＩを用いたメジャメントを行う。また、ステップＳＴ２２０１にてコアネットワークから受信したキャリア周波数の種別を用いて、ＣＳＧセル用のキャリア周波数（図３２のｆ２とｆ４）にて、ＣＳＧセルを検出するために、ＣＳＧセル用のＰＣＩを用いたメジャメントを行うとしてもよい。また静的にキャリア周波数の種別が決定されている場合は、決定内容を参照し、ハイブリッドアクセスモードで動作するＨｅＮＢ／ＨＮＢのクローズドアクセスモードが用いることができるＣＳＧセル用のキャリア周波数とハイブリッドアクセスモードで動作するＨｅＮＢ／ＨＮＢのクローズドアクセスモード用のキャリア周波数として用いないＣＳＧセル用のキャリア周波数にて、ＣＳＧセルを検出するために、ＣＳＧセル用のＰＣＩを用いたメジャメントを行う。また静的にキャリア周波数の種別が決定されている場合は、決定内容を参照し、ＣＳＧセル用のキャリア周波数（図３２のｆ２とｆ４）にて、ＣＳＧセルを検出するために、ＣＳＧセル用のＰＣＩを用いたメジャメントを行うとしてもよい。
ステップＳＴ３３０２にて、ハイブリッドアクセスモードで動作するＨｅＮＢ／ＨＮＢのクローズドアクセスモードを検出するために、異周波数にてｎｏｎ−ＣＳＧセル用のＰＣＩを用いたメジャメントを行う。その際、ステップＳＴ２２０１にてコアネットワークから受信したキャリア周波数の種別を用いて、ハイブリッドアクセスモードで動作するＨｅＮＢ／ＨＮＢのクローズドアクセスモードが用いることができるＣＳＧセル用のキャリア周波数（図３２のｆ４）にて、ハイブリッドセルを検出するために、ｎｏｎ−ＣＳＧセル用のＰＣＩを用いたメジャメントを行う。また静的にキャリア周波数の種別が決定されている場合は、決定内容を参照し、ハイブリッドアクセスモードで動作するＨｅＮＢ／ＨＮＢのクローズドアクセスモードが用いることができるＣＳＧセル用のキャリア周波数（図３２のｆ４）にて、ハイブリッドセルを検出するために、ｎｏｎ−ＣＳＧセル用のＰＣＩを用いたメジャメントを行う。
【０１１１】
実施の形態４の変形例２により、実施の形態４、実施の形態４の変形例１に加えて以下の効果を得ることが出来る。移動端末はハイブリッドアクセスモード対応の基地局を見つけるために、周辺セルのメジャメントを行う場合、ハイブリッドアクセスモードで動作するＨｅＮＢ／ＨＮＢのクローズドアクセスモードが用いることができるＣＳＧセル用のキャリア周波数にてセルサーチのための周辺セルのメジャメントを行えば良いことになる。つまり、ハイブリッドアクセスモード対応の基地局を見つけるためにサーチ動作を行う際、ハイブリッドアクセスモードで動作するＨｅＮＢ／ＨＮＢのキャリア周波数として用いないＣＳＧセル用のキャリア周波数でのサーチ動作を削減することができる。これにより、移動端末の処理負荷軽減、消費電力削減という効果を得ることができる。
さらに、現在３ＧＰＰでは、マクロセルに利用可能なセットからハイブリッドセルのためにＰＣＩｓ／ＰＳＣｓの部分集合を予約して、その情報をUEに報知することが提案されている。具体例として非特許文献８にはｎｏｎ−ＣＳＧ用のＰＣＩ中にハイブリッドセルが利用するＰＣＩ範囲（以降ハイブリッドセル用のＰＣＩと称する）を予約することが提案されている。ハイブリッドセル用のＰＣＩが新たに設けられた場合、実施の形態４の変形例２により、ハイブリッドアクセスモード対応の基地局を見つけるために、周辺セルのメジャメントを行う場合、ハイブリッドセル用のキャリア周波数のみにてハイブリッドセル用のＰＣＩを用いてセルサーチのための周辺セルのメジャメントを行えば良いことになる。これにより、ハイブリッドセル用のキャリア周波数以外のキャリア周波数でのハイブリッドセル用のＰＣＩを用いたサーチ動作を削減することができる。これにより、移動端末の処理負荷軽減、消費電力削減という効果を得ることができる。
【０１１２】
なお、実施の形態４の変形例２は、実施の形態４の変形例１を実行しない場合においても、実施することが可能である。
【０１１３】
実施の形態５.
実施の形態５では、実施の形態１と同様の課題について別の解決策を開示する。ＣＳＧセル用のキャリア周波数を設ける移動体通信システムにおいて、ＨｅＮＢ／ＨＮＢのアクセスモードをハイブリッドアクセスモードとする。また、マクロセル用のキャリア周波数とＣＳＧセル用のキャリア周波数が異なる場合に、ＨｅＮＢ／ＨＮＢのアクセスモードをハイブリッドアクセスモードとする。
マクロセル圏外に設置された全てのＨｅＮＢ／ＨＮＢをハイブリッドアクセスモードとしても良い。また、マクロセル圏外に設置された一部のＨｅＮＢ／ＨＮＢをハイブリッドアクセスモードとしても良い。一部のＨｅＮＢ／ＨＮＢをハイブリッドアクセスモードとする場合、必要なＨｅＮＢ／ＨＮＢをハイブリッドアクセスモードとしても良い。必要なセルの具体例としては、マクロセル圏外に設置され、該ＨｅＮＢ／ＨＮＢのカバレッジ内の該ＨｅＮＢ／ＨＮＢが属するＣＳＧに未登録の移動端末が移動体通信システムのサービスを受ける必要があるセルなどがある。
該ハイブリッドアクセスモードで動作するＨｅＮＢ／ＨＮＢのキャリア周波数をハイブリッドアクセスモード専用のキャリア周波数とする。またＣＳＧセルのキャリア周波数、及びマクロセル用のキャリア周波数とは別のキャリア周波数を用いるとしても良い。
ハイブリッドアクセスモード専用のキャリア周波数は、ハイブリッドアクセスモード専用の周波数帯域中に含まれる周波数であっても良い。ハイブリッドアクセスモード専用のキャリア周波数は、ハイブリッドアクセスモード専用の周波数帯域を表すとしても良い。また、ハイブリッドアクセスモード専用のキャリア周波数は、ハイブリッドアクセスモード専用の周波数帯域中に含まれる一部の周波数であっても良い。また、ＣＳＧセル用の周波数帯域が存在した場合、該ハイブリッドアクセスモード専用のキャリア周波数は、ＣＳＧセル用の周波数帯域に含まれるキャリア周波数としても良い。また、マクロセル用の周波数帯域が存在した場合、該ハイブリッドアクセスモード専用のキャリア周波数は、マクロセル用の周波数帯域に含まれる一部のキャリア周波数としても良い。ＣＳＧセル用のキャリア周波数、マクロセル用のキャリア周波数の説明は実施の形態１と同様であるので、説明を省略する。
【０１１４】
図３４に実施の形態５の解決策の概念図を示す。図１５、図１６と同じ参照符号は相当する部分であるので、説明は省略する。例えばマクロセル圏外に、移動端末１６０１が存在する。マクロセル圏外にＨｅＮＢ／ＨＮＢ１５０９、ＨｅＮＢ／ＨＮＢ１５１１、ＨｅＮＢ／ＨＮＢ１５１３が設置され、クローズドアクセスモードで動作しているとする。移動端末１６０１は、ＨｅＮＢ／ＨＮＢ１５１１が属するＣＳＧへ未登録であったとする。一方、移動端末１６０１は移動体通信システムのサービスを受ける必要があるとする。また、該移動端末１６０１がＨｅＮＢ／ＨＮＢ１５１１のカバレッジ３４０１内に位置する場合を考える。実施の形態５の解決策では、ＨｅＮＢ／ＨＮＢ１５１１のアクセスモードをハイブリッドアクセスモードとする。その結果、ＨｅＮＢ／ＨＮＢ１５１１のカバレッジ３４０１はオープンアクセスモード対応となる、図３４では斜線のハッチングで示す。また、該ＨｅＮＢ／ＨＮＢ１５１１のキャリア周波数は、ハイブリッドアクセスモード専用のキャリア周波数とする。図３４では、ＨｅＮＢ／ＨＮＢ１５１１のキャリア周波数は、ｆ５となる。ハイブリッドアクセスモード専用のキャリア周波数レイヤを３４０２に示す。
【０１１５】
ハイブリッドアクセスモードとするセルの選択方法の具体例は、実施の形態１と同様であるので説明を省略する。ハイブリッドアクセスモードの設定を解除するセルの選択方法の具体例としては、実施の形態１と同様であるので説明を省略する。ハイブリッドアクセスモードの設定方法の具体例は、実施の形態１と同様であるので説明を省略する。ＨｅＮＢ／ＨＮＢのキャリア周波数を設定する方法の具体例は、実施の形態１と同様であるので説明を省略する。実施の形態５を適用した場合の、移動端末によるセルサーチのための周辺セルのメジャメント動作の具体例は、実施の形態１と同様（図１９）であるので説明を省略する。
【０１１６】
実施の形態５により以下の効果を得ることが出来る。クローズドアクセスモードにて動作するＨｅＮＢ／ＨＮＢがＣＳＧセル用のキャリア周波数を用いて動作する場合、マクロセル圏外における該ＨｅＮＢ／ＨＮＢ設置場所において、該ＨｅＮＢ／ＨＮＢが属するＣＳＧへ未登録の移動端末が移動体通信システムのサービスを受けられないという課題を、莫大なコストのかかるマクロセルの設置を行わずに、解決することができる。つまり、マクロセルの設置を行わずに、クローズドアクセスモードにて動作するＨｅＮＢ／ＨＮＢをハイブリッドアクセスモードに設定することにより、マクロセル圏外における該ＨｅＮＢ／ＨＮＢ設置場所において、該ＨｅＮＢ／ＨＮＢが属するＣＳＧへ未登録の移動端末が移動体通信システムのサービスを受けることが可能となる。
【０１１７】
実施の形態５  変形例１.
実施の形態５の変形例１にて解決する課題について説明する。実施の形態５の解決策を実行した場合、以下の新たな課題が発生する。キャンプオンしている、あるいは通信中の基地局のキャリア周波数（サービング周波数）以外に複数のキャリア周波数が存在した場合を検討する。この場合、移動端末によるセルサーチのための周辺セルのメジャメント動作において以下の無駄な処理が発生する。図１９を用いて具体的に説明する。
ステップＳＴ１９０４、ステップＳＴ１９１２のメジャメントでは、移動端末はオープンアクセスモード対応の基地局を見つけるために、周辺セルのメジャメントを行っている。よって、ステップＳＴ１９０４、ステップＳＴ１９１２において、オープンアクセスモード対応の基地局が存在することがない、つまりクローズドアクセスモードで動作している基地局のみ存在するキャリア周波数（図３４のｆ２）においてサーチ動作を行うこと自体が無駄な処理となる。
また、ステップＳＴ１９１０のメジャメントでは、移動端末は適切なクローズドアクセスモード対応のセルを見つけるために、周辺セルのメジャメントを行っている。つまり、移動端末はＣＳＧセル用のキャリア周波数（図３４のｆ２）で動作するＣＳＧセルとハイブリッドアクセスモード専用のキャリア周波数（図３４のｆ５）で動作するハイブリッドセルを見つけるために周辺セルのメジャメントを行っている。よって、ステップＳＴ１９１０において、クローズドアクセスモード対応の基地局が存在することがない、つまりオープンアクセスモードで動作している基地局のみ存在するキャリア周波数（図３４のｆ１）においてサーチ動作を行うこと自体が無駄な処理となる。すなわち、ステップＳＴ１９１０において、ＣＳＧセル用のキャリア周波数（図３４のｆ２）でのｎｏｎ−ＣＳＧセル用のＰＣＩを用いたメジャメント、ハイブリッドアクセスモード専用のキャリア周波数（図３４のｆ５）でのＣＳＧセル用のＰＣＩを用いたメジャメント、マクロセル用のキャリア周波数（図３４のｆ１）でのサーチ動作自体が無駄な処理となる。
上記、移動端末における無駄な処理により、移動端末の消費電力が増大するという課題が発生する。
【０１１８】
実施の形態５の変形例１における解決策を以下に開示する。移動端末にキャリア周波数の種別を認識させる。
キャリア周波数の種別の具体例を以下２つ開示する。（１）ＣＳＧセル用のキャリア周波数とマクロセル用のキャリア周波数とハイブリッドアクセスモード専用のキャリア周波数、（２）キャリア周波数をＣＳＧセル用のキャリア周波数として用いるか、マクロセル用のキャリア周波数として用いるか、ハイブリッドアクセスモード専用のキャリア周波数として用いるかの種別。キャリア周波数を示す情報の具体例は、実施の形態１の変形例１と同様であるので説明を省略する。移動端末にキャリア周波数の種別を認識させる方法の具体例は、実施の形態１の変形例１と同様であるので説明を省略する。コアネットワークから移動端末へ、キャリア周波数の種別を通知する方法の具体例は、実施の形態１の変形例１と同様であるので説明を省略する。
【０１１９】
実施の形態５の変形例１を適用した場合の、移動端末によるセルサーチのための周辺セルのメジャメント動作の具体例を、図３５を用いて説明する。図１９、２２と同じ参照符号は相当する部分であるので、説明は省略する。
ステップＳＴ３５０１にて、オープンアクセスモード対応のセルを検出するために、異周波数にてｎｏｎ−ＣＳＧセル用のＰＣＩを用いたメジャメントを行う。その際、ステップＳＴ２２０１にてコアネットワークから受信したキャリア周波数の種別を用いて、マクロセル用のキャリア周波数（図３４のｆ１）とハイブリッドアクセス専用のキャリア周波数（図３４のｆ５）にて、オープンアクセスモード対応のセルを検出するために、ｎｏｎ−ＣＳＧセル用のＰＣＩを用いたメジャメントを行う。オープンアクセスモード対応のセルとは、マクロセル及びハイブリッドセルであっても良い。また静的にキャリア周波数の種別が決定されている場合は、決定内容を参照し、マクロセル用のキャリア周波数とハイブリッド専用のキャリア周波数にて、オープンアクセスモード対応のセルを検出するために、ｎｏｎ−ＣＳＧセル用のＰＣＩを用いたメジャメントを行う。
ステップＳＴ３５０２にて、適切なＣＳＧ対応のセルを検出するために、異周波数にてＣＳＧセル用のＰＣＩを用いたメジャメントを行う。その際、ステップＳＴ２２０１にてコアネットワークから受信したキャリア周波数の種別を用いて、ＣＳＧセル用のキャリア周波数（図３４のｆ２）にて、ＣＳＧセルを検出するために、ＣＳＧセル用のＰＣＩを用いたメジャメントを行う。また静的にキャリア周波数の種別が決定されている場合は、決定内容を参照し、ＣＳＧセル用のキャリア周波数にて、ＣＳＧセルを検出するために、ＣＳＧセル用のＰＣＩを用いたメジャメントを行う。
ステップＳＴ３５０３にて、適切なクローズドアクセスモード対応のセルを検出するために、異周波数にてｎｏｎ−ＣＳＧセル用のＰＣＩを用いたメジャメントを行う。その際、ステップＳＴ２２０１にてコアネットワークから受信したキャリア周波数の種別を用いて、ハイブリッドアクセスモード専用のキャリア周波数（図３４のｆ５）にて、ハイブリッドセルを検出するために、ｎｏｎ−ＣＳＧセル用のＰＣＩを用いたメジャメントを行う。また静的にキャリア周波数の種別が決定されている場合は、決定内容を参照し、マクロセル用のキャリア周波数にて、ハイブリッドセルを検出するために、ｎｏｎ−ＣＳＧセル用のＰＣＩを用いたメジャメントを行う。
ステップＳＴ３５０４にて、オープンアクセスモード対応のセルを検出するために、異周波数にてｎｏｎ−ＣＳＧセル用のＰＣＩを用いたメジャメントを行う。その際、ステップＳＴ２２０１にてコアネットワークから受信したキャリア周波数の種別を用いて、マクロセル用のキャリア周波数（図３４のｆ１）とハイブリッドアクセス専用のキャリア周波数（図３４のｆ５）にて、オープンアクセスモード対応のセルを検出するために、ｎｏｎ−ＣＳＧセル用のＰＣＩを用いたメジャメントを行う。オープンアクセスモード対応のセルとは、マクロセル及びハイブリッドセルであっても良い。また静的にキャリア周波数の種別が決定されている場合は、決定内容を参照し、マクロセル用のキャリア周波数とハイブリッド専用のキャリア周波数にて、オープンアクセスモード対応のセルを検出するために、ｎｏｎ−ＣＳＧセル用のＰＣＩを用いたメジャメントを行う。
【０１２０】
実施の形態５の変形例１により、実施の形態５に加えて以下の効果を得ることが出来る。移動端末はクローズドアクセスモード対応の基地局を見つけるために、周辺セルのメジャメントを行う場合、ＣＳＧセル用のキャリア周波数、ハイブリッドアクセスモード専用のキャリア周波数にてセルサーチのための周辺セルのメジャメントを行えば良いことになる。つまり、クローズドアクセスモード対応の基地局を見つけるためにサーチ動作を行う際、オープンアクセスモードで動作している基地局のみ存在するキャリア周波数でのサーチ動作を削減することができる。これにより、移動端末の処理負荷軽減、消費電力削減という効果を得ることができる。
キャリア周波数を変更してのサーチ動作は、移動端末にとって処理負荷が高い。また、ＣＳＧ登録済みの移動端末は、サービングセルの受信品質が良好であっても、あるいは現在キャンプオンしている基地局のキャリア周波数の再選択優先度が高い場合であっても、適切なＣＳＧセルを検出するための異周波数のサーチ動作を行う必要がある。よって、本実施の形態を実施することで、適切なＣＳＧセルを検出するための、対象のキャリア周波数を削減可能となることは、移動端末の処理負荷軽減に大きな効果がある。
移動端末はオープンアクセスモード対応の基地局を見つけるために、周辺セルのメジャメントを行う場合、マクロセル用のキャリア周波数とハイブリッドアクセスモード専用のキャリア周波数にてセルサーチのための周辺セルのメジャメントを行えば良いことになる。つまり、オープンアクセスモード対応の基地局を見つけるためにサーチ動作を行う際、クローズドアクセスモードで動作している基地局のみ存在するキャリア周波数でのサーチ動作を削減することができる。これにより、移動端末の処理負荷軽減、消費電力削減という効果を得ることができる。この効果は、ＣＳＧに登録することが不可能な低能力（Capability）の移動端末にとって、より顕著な効果となる。
【０１２１】
本発明についてはＬＴＥシステム（Ｅ−ＵＴＲＡＮ）を中心に記載したが、Ｗ−ＣＤＭＡシステム（ＵＴＲＡＮ、ＵＭＴＳ）及びＬＴＥアドバンスド（LTE-Advanced）について適用可能である。更には、ＣＳＧ（Closed Subscriber Group）が導入される移動体通信システムおよび、ＣＳＧと同じようにオペレータが加入者を特定し、特定された加入者がアクセスを許可されるような通信システムにおいて適用可能である。
【０１２２】
また本発明については、ＨｅＮＢ／ＨＮＢがマクロセルカバレッジ内に設置される場合の干渉問題の解決策として、非特許文献７における方法Ａ、あるいは方法Ｂが用いられた場合を中心に記載したが、非特許文献７における方法Ｄが用いられた場合についても適用可能である。
方法Ｄについては、ＨｅＮＢ／ＨＮＢが、ＣＳＧ、部分的共同チャネル（Partial Co-Channel）とされているが、ＣＳＧセル用のキャリア周波数と、マクロセル用のキャリア周波数が分離されるという点においては、方法Ａ、方法Ｂとなんら変わらないからである。
また、マクロセルをクローズドアクセスモードにて動作させることも考えられる。このような状況を、マクロセルをＣＳＧセルとして用いるとも称される。この場合であってもオープンアクセスモードにて動作するマクロセルの圏外にクローズドアクセスモードにて動作するマクロセルが設置される場合、クローズドアクセスモードにて動作するマクロセル圏内において、該クローズドアクセスモードにて動作するマクロセルが属するＣＳＧに未登録の移動端末がサービスを受けられないという状況が発生し得る。
従来の方法を用いた解決策では、該場所に新たにオープンアクセスモードにて動作させるマクロセルを設置する。その結果、該場所がオープンアクセスモードにて動作させるマクロセル圏内となり、ＣＳＧに未登録の移動端末も、該場所において移動体通信システムのサービスを受けることが可能となる。しかし、新たなマクロセルの設置には莫大な費用が必要になるという新たな課題が発生する。
本発明を用いることで上記課題を解決することができる。これにより、アクセスする移動端末を特定しない基地局の通信エリア外に、クローズドアクセスモードにて動作する基地局が設置された場合に、このクローズドアクセスモードにて動作する基地局の通信エリア内において特定の移動端末以外の移動端末でも、コストを抑制しつつ通信サービスを享受できる移動体通信システムを提供することができるという効果を得る。
本発明を用いる場合、オープンアクセスモードにて動作するマクロセルの圏外に設置されたクローズドアクセスモードにて動作するマクロセルを、本発明のにて開示した方法のマクロセル圏外に設置されたＨｅＮＢ／ＨＮＢとして、本発明を適用すれば良い。
本発明についてはＨｅＮＢ／ＨＮＢ、マクロセルがクローズドアクセスモードをサポートした場合を中心に記載した。カバレッジが小さいセル、例えばマイクロセル、ピコセル、フェムトセル、ホットスポット、あるいはリレーなどが、クローズドアクセスモードをサポートする場合にも本発明は、適用可能である。
【図１】
2011052190.tif 000003
【図２】
2011052190.tif 000004
【図３】
2011052190.tif 000005
【図４】
2011052190.tif 000006
【図５】
2011052190.tif 000007
【図６】
2011052190.tif 000008
【図７】
2011052190.tif 000009
【図８】
2011052190.tif 000010
【図９】
2011052190.tif 000011
【図１０】
2011052190.tif 000012
【図１１】
2011052190.tif 000013
【図１２】
2011052190.tif 000014
【図１３】
2011052190.tif 000015
【図１４】
2011052190.tif 000016
【図１５】
2011052190.tif 000017
【図１６】
2011052190.tif 000018
【図１７】
2011052190.tif 000019
【図１８】
2011052190.tif 000020
【図１９】
2011052190.tif 000021
【図２０】
2011052190.tif 000022
【図２１】
2011052190.tif 000023
【図２２】
2011052190.tif 000024
【図２３】
2011052190.tif 000025
【図２４】
2011052190.tif 000026
【図２５】
2011052190.tif 000027
【図２６】
2011052190.tif 000028
【図２７】
2011052190.tif 000029
【図２８】
2011052190.tif 000030
【図２９】
2011052190.tif 000031
【図３０】
2011052190.tif 000032
【図３１】
2011052190.tif 000033
【図３２】
2011052190.tif 000034
【図３３】
2011052190.tif 000035
【図３４】
2011052190.tif 000036
【図３５】
2011052190.tif 000037
【国際調査報告】
2011052190.tif 000038
2011052190.tif 000039